(57)【要約】  時分割二重（ＴＤＤ）無線プロトコル通信システムにおける非周波数変換型リピータ（１１０、２１０、３００）は、検出機能、再送信機能、および自動ゲイン制御機能を有する。検出は、検出器（３０９、３１０）とプロセッサ（３１３）を用いて行う。検出結果はロジック部（３１４）を有するプロセッサ（３１３）によってオーバーライドされてもよい。種々の形態要素を有するアンテナ（２２０、２３０）は、基地局（２２２）を、建物の奥深く等の最適でない位置にある加入者端末（２３２）に接続させるために使用される。
2008503907.tif 000002
【特許請求の範囲】
【請求項１】
アップリンクにおいて第１の局へ送信を行う第２の局に対し、ダウンリンクにおいて前記第２の局へ送信を行う前記第１の局から送信される信号を、時分割二重（ＴＤＤ）プロトコルに基づいて、非再生中継する方法であって、
前記アップリンクと前記ダウンリンクのうち１つまたは複数に対応する期間において信号を検出すること、
前記アップリンクにおいて前記信号を検出した場合、前記信号を、前記第２の局から前記第１の局へ、前記第１の局に向けられた第１のアンテナを用いて再送信すること、および
前記ダウンリンクにおいて前記信号を検出した場合、前記信号を、前記第１の局から前記第２の局へ、前記第２の局に向けられた第２のアンテナおよび無指向性アンテナのうち１つを用いて再送信することを含み、
前記第１のアンテナ、前記第２のアンテナ、および前記無指向性アンテナのうち１つまたは複数についての形態因子は、前記検出することおよび前記再送信することを容易にするようになっていることを特徴とする方法。
【請求項２】
前記検出することに相当する時間を埋め合わせるために、前記信号を前記第２の局から前記第１の局へ再送信することの前に、および、前記信号を前記第１の局から前記第２の局へ再送信することの前に、前記信号に遅延を加えることを更に含む請求項１に記載の方法。
【請求項３】
前記遅延は前記プロトコルに対応するタイムアウトパラメータより短いことを特徴とする請求項２に記載の方法。
【請求項４】
前記検出することは、受信信号強度指標についての窓関数を用いて、アップリンク期間とダウンリンク期間の間の間隔のうち１つまたは複数を検出することを含む請求項１に記載の方法。
【請求項５】
前記検出することは、前記ＲＳＳＩについての増大を検出することで、前記アップリンク期間および前記ダウンリンク期間のうち１つまたは複数の開始を検出することを特徴とする請求項４に記載の方法。
【請求項６】
前記検出することは、前記アップリンク期間を相対的に小さいパワーレベルに対応するものとして特定すること、および、前記ダウンリンク期間を相対的に大きいパワーレベルに対応するものとして特定することを含む請求項４に記載の方法。
【請求項７】
前記アップリンクおよび前記ダウンリンクに対応するパラメータを表すことを更に含み、前記表すことが表す前記パラメータは前記第１のアンテナ、前記第２のアンテナ、前記無指向性アンテナのうち１つまたは複数の設置を容易にするためのものであることを特徴とする請求項１に記載の方法。
【請求項８】
前記パラメータは前記アップリンクおよび前記ダウンリンクに対応する同期レベルを含むことを特徴とする請求項１に記載の方法。
【請求項９】
前記プロトコルは、ＩＥＥＥ８０２．１６プロトコル、８０２．２０プロトコル、ＩＥＥＥ８０２．１６ｄプロトコル、ＩＥＥＥ８０２．１６ｅプロトコル、ＩＥＥＥ８０２．１６ｄ／ｅプロトコル、パーソナルハンディホンシステム（ＰＨＳ）プロトコル、および時分割同期符号分割多重アクセス（ＴＤＳ−ＣＤＭＡ）プロトコルのうち１つを含むことを特徴とする請求項１に記載の方法。
【請求項１０】
前記第１の局は基地局を含み、前記第２の局は加入者端末を含むことを特徴とする請求項１に記載の方法。
【請求項１１】
前記アップリンク用の第１の自動ゲイン制御（ＡＧＣ）レベルを管理すること、および、前記ダウンリンク用の第２のＡＧＣレベルを、前記第１のＡＧＣレベルとは別に管理することを含む請求項１に記載の方法。
【請求項１２】
無線接続におけるアップリンクにおいて第１の局へ送信を行う第２の局に対し、前記無線接続におけるダウンリンクにおいて前記第２の局へ送信を行う前記第１の局から送信される信号を、時分割二重（ＴＤＤ）プロトコルに基づいて中継する非再生型および非周波数変換型のリピータであって、
前記無線接続を介して前記第１の局と接続する第１のアンテナと、
前記無線接続を介して前記第２の局と接続する、第２のアンテナおよび無指向性アンテナのうちいずれか一方と、
前記第１のアンテナ、および、前記第２のアンテナと前記無指向性アンテナとのうち前記一方、と接続するリピータモジュールと、を備え、
前記リピータモジュールは、
前記アップリンクと前記ダウンリンクのうち１つまたは複数において前記信号の存在を検出する検出回路と、
前記アップリンクにおいて前記信号を検出した場合、前記信号を、前記第２の局から前記第１の局へ、前記第１の局に向けられた第１のアンテナを用いて再送信し、また、前記ダウンリンクにおいて前記信号を検出した場合、前記信号を、前記第１の局から前記第２の局へ、前記第２の局に向けられた前記第２のアンテナおよび無指向性アンテナのうち１つを用いて再送信する送信回路と、を有し、
前記第１のアンテナ、前記第２のアンテナ、および前記無指向性アンテナのうち１つまたは複数についての形態因子は、前記信号を中継することを容易にするようになっており、前記形態因子は配置を含むことを特徴とするリピータ。
【請求項１３】
前記第１のアンテナ、および、前記第２のアンテナと前記無指向性アンテナのうち前記１つ、のいずれか１つは、前記リピータモジュールによって提供者アンテナに対応するものとして定義され、
前記リピータモジュールは、前記提供者アンテナから受信した前記信号に同期するように構成されており、
前記提供者アンテナは、当該リピータの設置ガイドラインおよび前記提供者アンテナに対応する信号の既知の特性のいずれか１つに基づいて定義されることを特徴とする請求項１２に記載のリピータ。
【請求項１４】
受信信号強度指標（ＲＳＳＩ）、信号ノイズ比（ＳＮＲ）、およびＥｂ／Ｎ０値のうち１つを含む信号品質指標に基づいて、前記提供者アンテナが定義されることを特徴とする請求項１３に記載のリピータ。
【請求項１５】
前記第１のアンテナ、および、前記第２のアンテナと前記無指向性アンテナのうち前記１つ、のうち少なくとも１つは、前記リピータモジュールに光ファイバーケーブルで接続されていることを特徴とする請求項１２に記載のリピータ。
【請求項１６】
前記アップリンクおよび前記ダウンリンクについてのパラメータの表示を提供する表示部を更に備え、
前記表示は、前記第１のアンテナ、前記第２のアンテナ、および前記無指向性アンテナのうち１つまたは複数の設置を容易にするものであることを特徴とする請求項１２に記載のリピータ。
【請求項１７】
前記パラメータは前記アップリンクおよび前記ダウンリンクに対応する同期レベルを含むことを特徴とする請求項１６に記載の方法。
【請求項１８】
前記リピータモジュールは、前記検出回路による検出と前記送信回路による送信との間に遅延を付加する遅延部を更に有し、
前記遅延は前記検出回路の検出についての時間を埋め合わせることを特徴とする請求項１２に記載のリピータ。
【請求項１９】
前記プロトコルは、ＩＥＥＥ８０２．１６プロトコル、８０２．２０プロトコル、ＩＥＥＥ８０２．１６ｄプロトコル、ＩＥＥＥ８０２．１６ｅプロトコル、ＩＥＥＥ８０２．１６ｄ／ｅプロトコル、パーソナルハンディホンシステム（ＰＨＳ）プロトコル、および時分割同期符号分割多重アクセス（ＴＤＳ−ＣＤＭＡ）プロトコルのうち１つを含むことを特徴とする請求項１２に記載のリピータ。
【請求項２０】
前記第１の局は基地局を含み、前記第２の局は加入者端末を含むことを特徴とする請求項１２に記載のリピータ。
【請求項２１】
前記検出回路は、前記プロトコルにおける受信信号強度指標についての窓関数を用いて、アップリンク期間とダウンリンク期間の間の間隔のうち１つまたは複数を検出するように構成されたプロセッサを更に含むことを特徴とする請求項１２に記載のリピータ。
【請求項２２】
前記プロセッサは、前記ＲＳＳＩについての増大を検出することで、前記アップリンク期間および前記ダウンリンク期間のうち１つまたは複数の開始を検出するように更に構成されていることを特徴とする請求項１９に記載のリピータ。
【請求項２３】
送信された信号を非再生中継する時分割二重（ＴＤＤ）リピータシステムであって、
第１の局と、
ネットワークのプロトコルに従い、無線接続によって前記第１の局と接続する第２の局と、を備え、
前記第１の局は、前記無線接続におけるダウンリンクにおいて前記第２の局へ送信を行い、前記第２の局は、前記無線接続におけるアップリンクにおいて第１の局へ送信を行い、
更に当該リピータシステムは、
前記無線接続を介して前記第１の局に接続する第１のアンテナと、
前記無線接続を介して前記第２の局に接続する、第２のアンテナおよび無指向性アンテナのうち１つと、
前記第１のアンテナ、および、前記第２のアンテナと前記無指向性アンテナとのうち前記一方、と接続するリピータモジュールと、を備え、
前記リピータモジュールは、
前記アップリンクと前記ダウンリンクのうち１つまたは複数において前記信号の存在を検出する検出する検出部と、
前記アップリンクにおいて前記信号を検出した場合、前記信号を、前記第２の局から前記第１の局へ、前記第１の局に向けられた前記第１のアンテナを用いて再送信し、また、前記ダウンリンクにおいて前記信号を検出した場合、前記信号を、前記第１の局から前記第２の局へ、前記第２の局に向けられた前記第２のアンテナおよび無指向性アンテナのうち１つを用いて再送信する送信部と、を有し、
前記第１のアンテナ、前記第２のアンテナ、および前記無指向性アンテナのうち１つまたは複数についての形態因子は、送信された前記信号を無再生中継することを容易にするようになっていることを特徴とするＴＤＤリピータシステム。
【請求項２４】
前記ネットワークは、複数のキャリア周波数を有するパーソナルハンディホン（ＰＨＳ）ネットワークであり、
前記リピータモジュールは、前記複数のキャリア周波数のうち１つに同期して追従すると共に、前記複数のキャリア周波数のうち他のすべての周波数において中継を行うように構成されていることを特徴とする請求項２３に記載のＴＤＤリピータシステム。
【請求項２５】
前記形態因子は、前記第１のアンテナ、前記第２のアンテナ、および前記無指向性アンテナのうち１つまたは複数の配置を含むことを特徴とする請求項２３に記載のＴＤＤリピータシステム。
【請求項２６】
前記アップリンクおよび前記ダウンリンクについてのパラメータの表示を提供する表示部を更に備え、
前記表示は、前記第１のアンテナ、前記第２のアンテナ、および前記無指向性アンテナのうち１つまたは複数の設置を容易にするものであることを特徴とする請求項２３に記載のＴＤＤリピータシステム。
【請求項２７】
前記パラメータは前記アップリンクおよび前記ダウンリンクに対応する同期レベルを含むことを特徴とする請求項２６に記載の方法。
【請求項２８】
前記リピータモジュールは、前記検出回路による検出と前記送信回路による送信との間に遅延を付加する遅延部を更に有し、
前記遅延は前記検出回路の検出についての時間を埋め合わせることを特徴とする請求項２３に記載のＴＤＤリピータシステム。
【請求項２９】
前記送信部に接続される自動ゲイン制御（ＡＧＣ）モジュールを更に備え、
前記ＡＧＣモジュールは、前記アップリンクおよび前記ダウンリンクにおける前記信号についての送信レベルを制御するものであり、
前記送信レベルは、前記ネットワークにおける条件に基づいて、前記アップリンクにおいて第１の所定のレベルに保持され、前記ダウンリンクにおいて第２の所定のレベルに保持されることを特徴とする請求項２３に記載のＴＤＤリピータシステム。
【請求項３０】
前記ＡＧＣモジュールは、前記アップリンクおよび前記ダウンリンクにおける前記信号についての送信レベルを制御するものであり、
前記送信レベルは、前記ネットワークにおける条件に基づいて、前記アップリンクにおいて所定のレベルに保持されることを特徴とする請求項２３に記載のＴＤＤリピータシステム。
【請求項３１】
前記送信部に接続される自動ゲイン制御（ＡＧＣ）モジュールを更に備え、
前記ＡＧＣモジュールは、前記アップリンクおよび前記ダウンリンクにおける前記信号についての送信レベルを制御するものであり、
前記送信レベルは、前記ネットワークにおける条件に基づいて、前記アップリンクにおける複数のチャネルに対応する第１の複数の所定のレベルに保持され、前記ダウンリンクにおける複数のチャネルに対応する第２の複数の所定のレベルに保持されることを特徴とする請求項２３に記載のＴＤＤリピータシステム。
【請求項３２】
前記プロトコルは、ＩＥＥＥ８０２．１６プロトコル、８０２．２０プロトコル、ＩＥＥＥ８０２．１６ｄプロトコル、ＩＥＥＥ８０２．１６ｅプロトコル、ＩＥＥＥ８０２．１６ｄ／ｅプロトコル、パーソナルハンディホンシステム（ＰＨＳ）プロトコル、および時分割同期符号分割多重アクセス（ＴＤＳ−ＣＤＭＡ）プロトコルのうち１つを含むことを特徴とする請求項２３に記載のＴＤＤリピータシステム。
【請求項３３】
前記プロトコルは、ＩＥＥＥ８０２．１６プロトコル、８０２．２０プロトコル、ＩＥＥＥ８０２．１６ｄプロトコル、ＩＥＥＥ８０２．１６ｅプロトコル、ＩＥＥＥ８０２．１６ｄ／ｅプロトコル、パーソナルハンディホンシステム（ＰＨＳ）プロトコル、および時分割同期符号分割多重アクセス（ＴＤＳ−ＣＤＭＡ）プロトコルのうち１つを含むことを特徴とする請求項２３に記載のＴＤＤリピータシステム。
【請求項３４】
前記第１の局は基地局を含み、前記第２の局は加入者端末を含むことを特徴とする請求項２３に記載のＴＤＤリピータシステム。
【請求項３５】
前記第１の局は基地局を含み、前記第２の局は加入者端末を含むことを特徴とする請求項２４に記載のＴＤＤリピータシステム。
【請求項３６】
前記検出部は、前記プロトコルにおける受信信号強度指標についての窓関数を用いて、アップリンク期間とダウンリンク期間の間の間隔のうち１つまたは複数を検出するように構成されたプロセッサを更に含むことを特徴とする請求項２３に記載のＴＤＤリピータシステム。
【請求項３７】
前記プロセッサは、前記ＲＳＳＩについての増大を検出することで、前記アップリンク期間および前記ダウンリンク期間のうち１つまたは複数の開始を検出するように更に構成されていることを特徴とする請求項２４に記載のリピータ。
【請求項３８】
送信された信号を非再生中継する時分割二重（ＴＤＤ）リピータシステムであって、
第１の多重入力多重出力（ＭＩＭＯ）局と、
ネットワークのプロトコルに従い、無線接続によって前記第１のＭＩＭＯ局と接続する複数の第２の局と、を備え、
前記第１のＭＩＭＯ局は、前記無線接続におけるダウンリンクにおいて前記複数の第２の局へ送信を行い、前記複数の第２の局は、前記無線接続におけるアップリンクにおいて第１のＭＩＭＯ局へ送信を行い、
更に当該リピータシステムは、
前記無線接続を介して前記第１のＭＩＭＯ局に接続する第１の複数のアンテナと、
前記無線接続を介して前記複数の第２の局に接続する、第２の複数のアンテナと、
前記第１の複数のアンテナ、および、前記第２の複数のアンテナと接続する複数のリピータモジュールと、を備えたことを特徴とするＴＤＤリピータシステム。
【請求項３９】
無線接続におけるダウンリンクにおいて通信を行う第１の局から送信される信号を、時分割二重（ＴＤＤ）プロトコルに基づいて中継する非再生型および非周波数変換型のリピータであって、
建物の窓に取り付けるためのパッケージ内に配置されると共に、前記第１の局に前記無線接続を介して接続される第１のアンテナペアを有する第１のアンテナモジュールと、
前記無線接続に接続されると共に、前記建物内に配置される第２のアンテナモジュールと、
前記第１のアンテナモジュールおよび前記第２のアンテナモジュールに接続されるリピータモジュールと、を備え、
前記リピータモジュールは、前記第１のアンテナモジュールを用いて前記ダウンリンクにおいて前記信号の存在を検出する検出回路と、前記第２のアンテナを用いて前記第１の局から前記建物の前記内部に前記信号を再送信する送信回路と、を有することを特徴とするリピータ。
【請求項４０】
前記ネットワークはワイドエリアネットワーク（ＷＡＮ）、無線ローカルエリアネットワーク（ＷＬＡＮ）、および無線メトロポリタンエリアネットワーク（ＷＭＡＮ）のいずれか１つであることを特徴とする請求項３９に記載のリピータ。
【請求項４１】
前記検出回路は更に、前記ネットワークにおける前記ダウンリンクおよび前記アップリンクのうち１つのスロットタイミングに前記リピータモジュールを同期させると共に、前記信号の存在の検出および同期に基づいて、中継を選択的に可能化または不可能化することを特徴とする請求項３９に記載のリピータ。
【発明の詳細な説明】
【技術分野】
【０００１】
本発明は、無線ネットワーク、特に、非周波数変換型のリピータにおける動的な周波数およびタイムスロットの検出およびメディア・アクセス制御に関する。
【背景技術】
【０００２】
本出願は、係属中である２００４年５月１３日出願の米国仮出願番号６０／５７０，４３９、係属中である２００４年５月１３日出願の米国仮出願番号６０／５７０，４６６、係属中である２００４年５月１３日出願の米国仮出願番号６０／５７０，４６５、ＰＣＴ出願ＰＣＴ／ＵＳ０３／２８５５８、タイトル「ネットワークカバレッジを向上させるリピータを有する無線ローカルエリアネットワーク」、およびＰＣＴ出願ＰＣＴ／ＵＳ０３／３５０５０、タイトル「検出機能を有する無線ローカルエリアネットワークリピータ」に関するものであり、これらに基づく優先権を主張し、かつ、これらの内容は参照によって本願明細書に組み込まれるものである。
【０００３】
一般にＷＬＡＮと呼ばれる無線ローカルエリアネットワーク、あるいはＷＭＡＮとして知られている無線メトロポリタンエリアネットワークのための新規なプロトコルおよび／または仕様が浸透してきている。これらの中には、８０２．１１および８０２．１６ｄ／ｅのプロトコルに加え、それらに関連した、“ＷｉＦｉ”または“ＷｉＭＡＸ”、時分割同期符号分割多重アクセス（ＴＤＳ−ＣＤＭＡ）、パーソナルハンディホンシステム（ＰＨＳ）等のプロトコルがある。これらのプロトコルの多く（例えばＰＨＳ）は、発展途上の国々において、ＷＭＡＮによるネットワークアクセスの低コストな代替プロトコル、すなわちセル的なインフラストラクチャとして広く用いられるようになってきている。
【０００４】
上記の標準的な無線プロトコルを利用する製品の仕様には、データ転送速度や通信可能範囲が通例表示されているが、それら表示された性能レベルを実際に達成するのは困難であることが多い。表示性能と現実の性能とのギャップは多くの原因から生まれる。それら原因の中には、ＲＦ信号の伝達経路中の減衰があるが、そのために、８０２．１６は６６ＧＨｚまでの送信周波数帯をサポート可能としているにもかかわらず、８０２．１６ｄ／ｅは、認可された２．３〜２．４ＧＨｚの周波数帯域中の１０ＭＨｚのチャネルで主に用いられている。特に、時分割二重（ＴＤＤ）プロトコルに基づいて作動する上記ＰＨＳ等のシステムは、世界的規模の市場で広く受け入れられている等の理由から、注目されている。
【０００５】
問題となるのは、無線ネットワークが必要なビル等の構造物が、無線を遮る壁配置等を有する間取りとなっている場合や、ＲＦ信号を減衰させる性質を有する物質で作られている場合であり、これらの場合には適切な通信可能範囲を実現することが困難となる。また、上記の標準的な無線プロトコルを利用して作動する装置のデータ転送速度は、信号強度に強く依存する。通信可能領域内の距離が増大すれば、無線システムの性能は通常は低下する。また、これらプロトコルの構造それ自体も動作可能範囲を制限する場合がある。
【０００６】
無線システムの通信可能範囲を増大させるために、無線業界ではリピータが広く用いられている。しかし、任意の装置の複数の送信機および複数の受信機が、例えばＴＤＤシステムにおいて、割り当てられたタイムスロットで作動するようなシステムにおいては、複雑な問題が発生する。このようなシステムにおいて、リピータの動作としてはよくあるように、複数の送信機が同時に作動すると、問題が発生する可能性がある。ＴＤＤプロトコルの中には、送信期間および受信期間を規定しているものがあり、それらはコリジョンに対して耐性がある。
【０００７】
ＴＤＤシステムにおいては、受信チャネルおよび送信チャネルは周波数的にというよりもむしろ時間的に分離されている。そして、ＰＨＳシステムや８０２．１６システムがそうであるように、ＴＤＤシステムの中には、特定のアップリンク／ダウンリンク送信用に時間をスケジュールしているものもある。８０２．１１のような、スケジュールされたタイムスロットを使用しないＴＤＤシステムもある。ＴＤＤシステム用の受信機および送信機間のアイソレーションを、物理的分離、アンテナパターン、周波数変換、極性アイソレーション等のいくつもの方法で実現してもよい。周波数変換を用いたアイソレーションの例は、特許文献１（名称：「ネットワークの通信可能範囲を拡大するリピータを用いた無線ローカルエリアネットワーク」、代理人用整理番号ＷＦ０２−０５／２７−００３−ＰＣＴ、米国仮出願第６０／４１４，８８８号に基づく出願）に記載されている。しかしながら、堅牢な作動を実現するためには、有効な作動のため非周波数変換型のリピータを採用し、このリピータに、信号の存在を迅速に検出させると共に、当該ＴＤＤシステムに対応するメディア・アクセスコントロールおよび全般的プロトコル（これらに基づいてＴＤＤシステムが１つのタイムスロットで効果的に送信を中継する）と協調して動作させる必要がある。
【０００８】
後述する通り当業者には明らかであるが、ＰＨＳシステムは、３００ＫＨｚの帯域幅で割り当てられた１つの周波数チャネル中のチャネルアップリンクとダウンリンクのための複数の制御タイムスロット、および、２０ＭＨｚの帯域幅内の他の周波数キャリアにそれぞれ割り当てられ得る複数の伝送タイムスロット、を有するＴＤＤシステムである。ＰＨＳシステムで確立された各コネクションにおいては、アップリンクとダウンリンクは同一の周波数キャリアおよび同一の“チャネル”で実現されるが、アップリンクとダウンリンクは異なるタイムスロットを占める。さらに興味深いのは、８０２．１６標準およびプロトコルに基づいて作動するＴＤＤシステムであり、これは、後述する通り当業者にとっては明らかであるが、すべてのタイムスロットを１つの既知の周波数チャネルで使用する。
【特許文献１】国際公開第ＵＳ０３／２８５５８号パンフレット
【発明の開示】
【発明が解決しようとする課題】
【０００９】
従って、種々の例示的または他の例示的実施形態において、本発明はそのカバー範囲を、ＷＬＡＮ環境等の無線環境、および、広く言えば、ＩＥＥＥ８０２．１６、ＩＥＥＥ８０２．２０、ＰＨＳ、およびＴＤＳ−ＣＤＭＡ等の、スケジュールされたアップリンクおよびダウンリンクタイムスロット、または、例えば８０２．１１ベースのシステムで用いられるようなスケジュールされないランダムアクセスを実行する動的周波数検出方法および中継方法を有するどのような時分割二重システムにも広げる。
【００１０】
更に、一例としてのリピータは、８０２．１６およびＰＨＳシステムのような、アップリンクおよびダウンリンクの中継方向が１つの期間における観測によってまたは放送システム情報の受信によって決定される同期ＴＤＤシステムにおいて作動する。
【課題を解決するための手段】
【００１１】
一例としてのＷＬＡＮ非周波数変換型リピータは、通常はスケジュールされない送信機能を有する２つまたは３つ以上のＷＬＡＮノード、または加入者ユニットおよび基地局ユニットのような同期されかつスケジュールされたユニットが、例えばＰＨＳシステムにあるような狭帯域ダウンリンク制御チャネルにおける制御スロット期間または任意の通常ダウンリンク期間に同期することで通信を行い、かつ、より広いキャリア周波数の帯域セットを広帯域中継ダウンリンクに中継することができるようにする。８０２．１６システムのような他のシステムにおいては、制御タイムスロット検出帯域が、中継された帯域幅と同じになる。
【００１２】
アップリンク側において、リピータは、広帯域な監視を実行することで、加入者側の送信用の１つまたは複数のスロットを好ましくは監視し、アップリンク送信が検出されると、受信された信号が基地局装備へのアップリンクチャネルで中継されてもよい。
【００１３】
種々の例示的実施形態のように、リピータは好ましくは、受信した信号が、任意のリピータ遅延を含むが本質的には同じタイムスロットで送信されるような直接中継というソリューションを提供する。
【発明を実施するための最良の形態】
【００１４】
図１に、一例としての非周波数変換型リピータ１１０を示す。リピータ１１０はリンク１１２等の通信リンクを介して制御端末１１１に接続されているが、この制御端末１１１を含んでいてもよい。このリンク１１２は、リピータ１１０の設定、各種の指標の取得等、種々の目的のためのシリアル通信を実現するＲＳ−２３２接続であってもよい。なお、特定のリピータ１１０の製造モデルにおいては、そのような設定は製造時に完了するか、または例えばマイクロプロセッサ、コントローラ等の制御によって自動的に設定が成されることにより、そのような接続が使用される可能性が低くなることが考えられる。またリピータ１１０は、ＴＤＤリピータ接続の一方側（例えば基地局１２２）と無線インターフェース１２１を介して通信するための外部アンテナ１２０を含んでいてもよい。基地局１２２は、複数の加入者にサービスを提供する施設ノードならどのようなもの（例えばＰＨＳセル基地局（ＣＳ）等）であってもよい。アンテナ１２０はリピータ１１０と、接続１１４を介して繋がっている。この接続１１４は、当業者には明らかなことであるが、例えばＳＭＡコネクタおよび同軸ケーブルを用いた直接連結による接続によって実現されていてもよいし、他の直接接続によって実現されていてもよい。
【００１５】
ＴＤＤリピータ接続の他方側（例えば加入者端末１３２）と無線インターフェース１３１を介して通信するために、別のアンテナ１３０が用いられてもよい。ここで用いられる加入者端末１３２は、ユーザエンティティ、ユーザ装置、端末装置（例えばＰＨＳパーソナルステーション（ＰＳ））等として、基地局１２２のサービスを受けるように設定された装置である。アンテナ１３０はリピータ１１０と、接続１１５を介して繋がっている。この接続１１５は、上述のＳＭＡコネクタおよび同軸ケーブルを用いた直接連結による接続によって実現されていてもよい。リピータ１１０は標準的な外部ＤＣ電源から電力供給を受けるようになっている。
【００１６】
アンテナ１２０および１３０は指向性アンテナであってもよいし、また、リピータ１１０のリピータ回路と共に一体のパッケージとして構成されることで、例えば、構造物の窓や外壁内に設置されたときに、パッケージの一方側がある方向（例えば基地局への方向）を向くと共に、パッケージ（あるいは筐体）の他方側が別の方向（例えば加入者側への方向等）を向くようになっていてもよい。また、アンテナ１２０および１３０の放射パターンは、指向性であってもよいし無指向性であってもよい。パーソナルインターネット（ＰＩ）リピータの場合、アンテナの一方が建造物の外側に設置され、他方がその建造物の内側に配置されることが予想される。ＰＩリピータも、建造物の内側に配置されてもよい。
【００１７】
適切な配置および設定を実現するために、多くの異なる形態因子を用いてよいことは明らかである。当業者には明らかであるが、例えば、クロス極性パッチアンテナ、プラナーアンテナ、ストリップアンテナ等のクロス極性アンテナを用いてもよい。さらに、２本のアンテナを用い、一方を入力用、他方を出力用等の用途で用いてもよいのは明らかである。多くの場合、アンテナ１２０および１３０のうち一方（本例においてはアンテナ１２０）は、“提供者”アンテナ、すなわち、基地局１２２と対になるアンテナとして定義されてもよい。
【００１８】
種々の実施形態の例におけるリピータまたはリピータシステムの一例の作動環境をより良く理解するために、図２を示す。例えば８０２．１６、ＴＤＳ−ＣＤＭＡ、ＰＨＳベースシステム等のサービスプロバイダによって運用される基地局２２２は、例えば建造物の内側に配置される加入者端末２３２と通信することができる。指向性アンテナ２２０は、壁２００の外壁部２０２の表面（例えば窓部分、外部表面等）に配置され、リンク２１４を介して非周波数変換型リピータ２１０と対になっていてもよい。加入者端末２３２と基地局２２２との間で送信されたパケットは、以下で詳細に説明する方法で中継される。
【００１９】
リピータ２１０の物理構造の側面を考慮すると、本システムについての基本的な条件を設けることができる。ここでの議論においては、リピータ２１０は、単一の基地局と単一の加入者端末２３２を有する環境下で作動するものとする。しかし、複数の加入者および／または複数の基地局が含まれるような実施形態も当然に可能である。フレームの持続時間、以下で詳細に説明する受信／送信移行ギャップ（Ｒ／Ｔ−ＴＧ）、および、ダウンリンクサブフレーム群に割り当てられた時間の、フレーム長に対するパーセンテージは前もってわかっており、また、可変のフレーム持続時間を採用する実施形態も可能である。典型的なセッションにおいては、予測されるフレーム持続時間は５ｍｓであり、Ｒ／Ｔ−ＴＧは少なくとも５μｓ持続すると予測される。フレーム中のアップリンクのサブフレーム部分とダウンリンクのサブフレーム部分とは、５０パーセント対５０パーセントの比率となっていると予測される。上記のような仮定にもかかわらず、リピータ２１０は、後述する方法で自発的にフレームの開始タイミングと同期することが求められる。さらに、例えば、８０２．１６に基づく実施形態の例においては、２．３〜２．４ＧＨｚ送信帯域中の１０ＭＨｚの作動チャネルは、サービスプロバイダによって識別され、制御端末等を用いる等によって手動でリピータ２１０に対して設定されるようになっていてもよい。
【００２０】
また、ＰＨＳベースの実施形態の例においては、典型的な基地局２２２は複数のチャネル、多くの場合は３００ＫＨｚの帯域幅を有する制御チャネルを含む４チャネル、をサポートすることができるようになっている。残りのトラフィックチャネルのそれぞれは、２０ＭＨｚの帯域幅中の他の周波数キャリアに割り当てられており、基地局２２２と複数の加入者端末２３２との間の二重通信のリンクを提供する。ＰＨＳシステムにおいて確立された接続のそれぞれにおいて、アップリンクおよびダウンリンクは同一の周波数キャリア上および一対のアップリンク／ダウンリンクタイムスロット“チャネル”上に実現される。しかし、アップリンクとダウンリンクは、後に図７を用いて詳述する通り、異なるタイムスロットを占有する。
【００２１】
ＬＥＤインジケータは、フレームタイミングが適切に同期されたことを視覚的に報知することが、必要であれば、可能である。また、複数の、例えば互いに色の異なる、ＬＥＤインジケータ、を用いて、相対的な信号強度を表すことで、アンテナおよび／またはリピータの配置の目安とすることができる。上記の通り、ＲＳ−２３２コネクタを、制御端末（例えば、グラフィカル・ユーザ・インターフェース（ＧＵＩ）によって作動するリピータ設定ソフトウェアを備えたラップトップコンピュータ）への連結部として用いることができる。この設定ソフトウェアは、例えば、作動チャネル、ＴＤＤにおけるアップリンクとダウンリンクの分割を設定することができ、また、作動中のリピータのキーとなるパラメータをグラフィカルに監視することができる。このようなパラメータが決まると、あるいは、特定の複数の条件に対する特定の複数の値の適用についてのスキームが決まると、このような作動制御の実行主体を、作動プログラムを有するマイクロプロセッサ等に移すことができる。それにより、対応するソフトウェアおよび／またはファームウェアを備えたマイクロプロセッサ／コントローラを、リピータ製品のパラメータ制御に用いることができる。
【００２２】
ＩＥＥＥ８０２．１６ｄ／ｅ直行周波数分割多重アクセス（ＯＦＤＭＡ）（ＴＴＡ−ＰＩ  Ｋｏｒｅａ）規格のＴＤＤフォーマットは、全世界的な市場に向けた商用の非周波数変換型リピータの開発において良好に機能することが予想される。アップリンクとダウンリンクのフレームが１つのシステム中の種々の基地局間で同期することにより、基地局による送信と加入者端末による送信とが同時に発生する恐れがほとんどなくなり、遠近問題や、典型的な基地局２２２が、加入者端末２３２よりも非常に大きい実効等方放射電力（ＥＩＲＰ）レベルで送信を行っているかもしれないという問題を緩和することができる。
【００２３】
必要となる信号増幅を除き、ＴＤＤによる中継を実現するための、リピータ２１０による唯一の無線信号に対する変更は、約１μｓの伝送遅れの付加である。１μｓの追加遅延は不変であるので、加入者端末２３２または基地局２２２におけるシンボル同期には問題はない。加入者端末２３２は基地局２２２およびリピータ２１０の両方からの信号を、実質的に悪影響なしで受信することができる。サイクリックプレフィックスタイム（ＣＰ）が１２．８μｓであるとすると、８０２．１６による構成の一例においては、この追加遅延は比較的通常範囲内であり、ＯＦＤＭサブキャリアは、直接信号および中継信号を受信した場合であっても、その直交性を保つ。
【００２４】
８０２．１６等のプロトコルにおいては、加入者端末２３２は、後述するように０．２５ｄＢ刻みの電力レベル変化を示す符号付き８ビット値を含んだＯＦＤＭＡ電力制御情報部を周期的に受信するようになっていてもよい。加入者端末２３２に対応する電力制御が可能であることから、リピータ２１０の自動ゲイン制御設定を、できる限り一定レベルに保つ必要がある。リピータ２１０の“入力”アンテナに与えられるどのようなゲインも、一貫性のある方法でパワーアンプに送られなければならない。パワーアンプの飽和を防ぐために、細かい調整（例えば１０ｄＢ刻みの調整）を周期的に行って許容範囲内の電力基準を回復させてもよい。このような方法による調整は、微調整における電力レベルの変化率が、基地局２２２における電力制御調整変化率である３０ｄＢｓ／秒より遥かに低ければ問題が発生しない。例えば、リピータ２１０は、１分に１度だけ１０ｄＢの刻みで調整を行えば、システム全体の電力制御スキームを深刻なレベルまで乱すことがない。なお、自動ゲイン制御（ＡＧＣ）ループの実装の詳細は、特定のアプリケーションまたは特定の顧客等の要求群に関連して決めてもよい。ダウンリンクにおいては、信号は電力制御されないが、加入者端末２３２は周期的に計測したＲＳＳＩおよびその変化を、１ｄＢ刻みで量子化された、例えば４０ｄＢｍ〜１２３ｄＢｍまでの範囲内の値として、基地局２２２に報告する。リピータがどこに配置されても、受信信号強度がこの量子化幅内にうまく収まることが期待される。
【００２５】
ＯＦＤＭＡにおいては、複数のユーザが異なるサブキャリアにおいて同時に受信および送信を行うことができることはよく知られている。各ユーザに割り当てられたサブキャリアの数、および、ユーザのための伝送に用いられるサブキャリアの総数は、フレームが変わると共に変化する。したがって、すべてのサブキャリアが毎フレーム割り当てられるわけではないので、リピータ２１０におけるアンテナ入力の受信電力レベルは変化する場合がある。しかし、多数のアクティブなユーザの存在によって平均化の効果が表れることにより、また、ＡＧＣループの作動がフレームの持続時間に比べてゆっくりであることにより、周波数領域におけるユーザの多重化はリピータにとって大きな問題ではない。
【００２６】
当業者にとっては明らかであるが、リピータ２１０は、例えば６０〜７０ｄＢのゲインを入射信号および出射信号に印加してもよいし、二重モードでアップリンク期間とダウンリンク期間の両方において同じ周波数で作動してもよい。もし出力信号の一部が、内部を介してにしろ外部を介してにしろ、十分な強度で入力に混ざると、一部のタイプのＣＤＭＡリピータで発生しうる条件に類似する入力―出力発振条件が発生し、その結果システムの性能が著しく低下する。内部的または外部的なアイソレーションを行うと、そのアイソレーションの量に応じて、リピータ２１０が提供できる増幅度が制限される。その結果、７５ｄＢのゲインを提供する場合、リピータ２１０におけるアンテナ間のアイソレーションおよび特定の装備におけるアンテナ間のアイソレーションが最大印加ゲインの１０ｄＢ上または８５ｄＢのアイソレーションとなることが求められる。所望の内部的アイソレーションを達成するためには、回路デザインにおいて、特に入力信号とフィードバック経路のデザインにおいて、漏れとＥＭＩに関連する問題に対して注意を払う必要がある。所望の外部的アイソレーションを達成するためには、例えば、基地局２２２へのリンク２２１用に指向性アンテナを用いることが、最小限想定される。さらに、壁２００の外壁２０２において、基地局２２２へのリンク２２１のためのアンテナ２２０が、基地局２２２への直線距離ができるだけ短くなるように配置されていることが想定される。リピータ２１０から加入者端末２３２へのリンク２３１のためには、多くの場合建造物または構造物の内側に取り付けられる無指向性アンテナを用いることが想定される。信号の発振が収まらない場合は、リピータ２１０はそれを検出して、さらにアンテナを離すか、あるいはそれらアンテナの向きや配置を最適化することで、より良好なアンテナ間アイソレーションが達成されるまでの間、リンク２３１へのゲインを低減させる。
【００２７】
例えばＰＨＳおよび８０２．１６の実施形態の例における、適切なＴＤＤの作動のためには、アップリンク方向またはダウンリンク方向への信号を増幅するか否かをリピータ２１０が決定する必要がある。そしてその決定は、使用中のＴＤＤプロトコルにおけるアップリンクのサブフレームとダウンリンクのサブフレームの開始タイミングと終了タイミングを特定することで実現する。例えば、ダウンリンクサブフレームにおいては、基地局２２２（提供ポートともいう）に向いている指向性アンテナ２２０に到達する信号は、増幅され、かつ指向性アンテナ２３０から出力される必要がある。また、アップリンクサブフレームにおいては、加入者端末２３２から指向性アンテナ２３０に到達する信号は、反対方向に増幅され、かつ、指向性アンテナ２２０から基地局２２２に向けて出力される必要がある。
【００２８】
８０２．１１におけるＴＤＤの中継では、２つのアンテナのうち１つのアンテナにパケットが存在することが検出され、それに応じて増幅の方向が動的に変化する。ＴＤＤ遠隔増幅器のようなＴＤＤ増幅の他の技術においては、波形の存在を検出する前に増幅器の作動を止めることで、パケットの先頭を切り取ることができる。波形のプリアンブルが切り取られない場合は、複数の８０２．１１ＴＤＤリピータを直列に連鎖させることで、建造物の奥深く信号を入り込ませることができる。直列連鎖および対応する検出技術は８０２．１１システムにおいては良好に機能するものの、複数の加入者端末が送信を行っている場合は、何らかの形でアップリンク／ダウンリンク同期を取る必要がある。他のシステム情報を用いなければ、リピータ２１０は複数の加入者端末によって混乱してしまう場合がある。
【００２９】
種々の実施形態の例において、ＴＤＤフレーミングを決定するために種々の方法が用いられる。このように、リピータ２１０は複数の方策を用いて信号の増幅を行うべき方向を正確に決定することができる。ここで説明される技術は、リピータ２１０からの伝播距離の要因や、近隣のセルサイトから到達するがゆえに、送信があったサブフレームの終了後に到達してしまう不要な信号という要因によるタイミングのずれには影響されない。
【００３０】
増幅方向を決定する方法は、例えば最初に到達する信号を用いてリピータ２１０を閉じる等の指標の組み合わせを含む。種々のプロトコルにおける通常のシステムの作動を通じて、基地局２２２は異なる加入者端末からの送信を先進させまたは遅延させることで、複数のパケット送信の到達が同時になるようにする。したがって、リピータ２１０は、最初に到達した信号を保持して、そのパケットについての他のチャネルにおける検出を無視するように構成されていてもよい。
【００３１】
時間の関数としての受信電力レベルの統計的解析結果を増幅方向の決定に用いてもよいのは明らかである。ダウンリンクサブフレームにおいて、基地局２２２に向けられた指向性アンテナ２２０における受信電力は、はっきりとした特性を有していると考えられる。基地局２１９からの信号についての既知の送信特性はまた、同期のために、または同期の一助となるように、使用されてもよい。
【００３２】
タイミングについての他の特徴としては、規定されたギャップおよびダウンリンクにおいて周期的に表れる制御チャネルスロットの一貫性がある。このように、一貫性および周期性は、アップリンクおよびダウンリンクのスロットのパラメータのような既知のシステム情報と共に、基地局のタイミングを特定して同期するために用いられてもよい。
【００３３】
上記のような特性を検出する手法の１つとして、基地局からの信号の既知の特性およびタイミング特性を特定するために、当該信号を詳細に統計解析することを行ってもよい。それに伴いリピータ２１０は、その無線信号の増幅方向を決定するために、例えば３つのステップを採用してもよい。１つ目として、初期化の間中指向性アンテナ２２０をモニタリングすること等により、後述する受信／送信移行ギャップ（Ｒ／Ｔ−ＴＧ）の位置を特定してもよい。２つ目として、５ミリ秒のＩＥＥＥ８０２．１６フレーム内のダウンリンクサブフレームの開始タイミングと持続時間を検出してもよい。３つ目として、アップリンクサブフレームとダウンリンクサブフレームにおける送信タイミングおよび受信タイミングが、１フレーム当たり１回の頻度で調整されるようになっていてもよい。ＰＨＳの例においては、例えば、繰り返されるチャネル群中、ＣＳの制御チャネルの既知の周波数チャネルおよび周期を用いてもよい。
【００３４】
増幅方向を決定する将来の技術の１つにおいては、モデムベースの同期が用いられてもよい。アップリンクとダウンリンクのサブフレームのタイミングに関するシグナリング情報を明示的に受信するために、また、そのような情報を同期に利用するために、ＩＥＥＥ８０２．１６、ＰＨＳ、または他のモデムが用いられてもよい。
【００３５】
また例えば、リピータ２１０は、当業者には当たり前な後述される特定の違いを除いて、ｃｄｍａ２０００におけるＲＦベースのリピータと類似した振る舞いおよび機能を見せるようになっていてもよい。上記のような典型的なリピータシステムは、例えば１０ｄＢｉのゲインを有する屋外指向性アンテナ、およびそれに伴う数フィート長の同軸ケーブルを有している。同軸ケーブルは屋内リピータモジュールに接続されている。このリピータモジュールは外部ＤＣ電源から電力供給を受けることになる。またこのリピータは、例えば５ｄＢｉのゲインを有する屋内無指向性アンテナに接続されることになる。この屋内無指向性アンテナは、加入者の住居、仕事場等の種々の部屋への信号を増幅する。この屋内アンテナは、適切なアンテナ−アンテナ間アイソレーションが達成される限り、指向性を有していてもよい。
【００３６】
当然のことではあるが、建物の壁２００の外壁部２０２に指向性アンテナ２２０を設置し、さらにケーブルを建物内に配線するために、技術サポート人員が必要となるかもしれない。しかし、屋内リピータのセットアップには特別な設定は必要ないだろう。そして住宅用顧客は、屋内アンテナを好みの方向に向けるために、補助を必要としないだろう。また、パーソナルリピータは、ＲＳＳＩレベル、同期等を示す１つまたは複数のＬＥＤを有することで、リピータ２１０の配置、指向性アンテナ２２０、２３０の向きおよび配置を容易にし、リピータ２１０がＴＤＤのアップリンクおよびダウンリンクのサブフレームに適切に同期したときを示すようになっていてもよい。
【００３７】
他の例と同様、非周波数変換型リピータのサービスは、地下道や建物内におけるサービスのような、アクセスすることがこれまで難しかったサービスエリアにおいて大容量インターネットサービスを提供することを目的としている。例えば、建物内のリピータは１つの小さな屋内ユニットから成り、その屋内ユニットは、屋外に近い位置に配された屋外用アンテナ、および、例えば上記のような屋内用のアンテナを備えている。自力インストールにより適した他のリピータのモデルもあるだろう。
【００３８】
本例のリピータは、ＩＳ−２０００システムのような既存のリピータに類似した機能を有することになるだろう。本リピータは、同一周波数屋内リピータや、屋外インフラストラクチャリピータを含む、種々の形態をとることができる。屋外インフラストラクチャリピータは、高出力のリピータであり、カバレッジが貧弱なまたはカバレッジに問題のあるエリアを補強し、あるいは、現在のカバーエリアを選択的に拡張する。この屋外インフラストラクチャリピータはビルの屋上、セルタワー等に配置されてもよい。さらに、本リピータは、屋内分配システムであってもよい。屋内分配システムは、地下道や駐車ガレージに用いる基地局と接続するアンテナとリピータとの間の距離を大きく離す必要がある。更に、本例のリピータは、光ファイバリピータであってもよい。光ファイバリピータにおいては、建物内の“深い”カバレッジを達成するために、ファイバの距離は短くなっている。長い光ファイバの存在により、ここで説明されているリピータシステムの作動にシステムレベルの問題が起こるとされている。
【００３９】
図３に、リピータ３００の一例をブロック図で示す。アンテナ３０１および３０２は、それぞれ送信／受信（Ｔ／Ｒ）スイッチ３０３および３０３に接続されている。当初は、Ｔ／Ｒスイッチ３０３およびＴ／Ｒスイッチ３０４はアンテナ３０１およびアンテナ３０２のそれぞれからの信号を、それぞれに対応するローノイズアンプ（ＬＮＡ）３０５およびＬＮＡ３０６に渡すように設定されている。増幅された信号は、それぞれ周波数ミキサ３０７および周波数ミキサ３０８によって周波数が低くなるように変換され、さらに、アンテナ２０１用の検出器３０９、アンテナ３０２用の検出器３１１といった、対応する信号検出器に渡される。
【００４０】
信号が検出される最初のアンテナが、Ｔ／Ｒスイッチ３０３およびＴ／Ｒスイッチ３０４のいずれか一方の設定によって、入力アンテナとして設定され、また、他方のアンテナが、Ｔ／Ｒスイッチ３０３およびＴ／Ｒスイッチ３０４のうち他方の設定によって、出力アンテナとして設定される。なお、８０２．１６アプリケーションのような典型的なアプリケーションにおいては、検出処理にはおよそ５００ナノ秒かかり、送信スイッチの設定の遅れはおよそ２００ナノ秒かかる。
【００４１】
送信スイッチ３１５は、入力アンテナからの信号を遅延素子３１０または遅延素子３１２によって付加された遅延量だけ遅延させた後、パワーアンプ３１６に渡す。パワーアンプ３１６はこの信号を、別の送信スイッチ３１７の処理を介して、アンテナ３０１およびアンテナ３０２のうち上記のように出力アンテナとして指定されたアンテナに渡す。当然のことながら、この検出遅延量は、本プロトコルに対応するタイムアウト値を超えてはならないし、このタイムアウト値に近くてもいけない。さらに、このＴＤＤプロトコルが同期を必要としている場合、この検出遅延を埋め合わせる必要はない。
【００４２】
マイクロコンピュータ３１３および複合ロジック回路３１４は、検出処理の信頼性を向上させ、システムメンテナンスおよび制御等の当業者には当たり前の付加処理を実行するために用いることができる。また、マイクロコンピュータ３１３および複合ロジック回路３１４は、リピータ３００の作動を高品質化し、増強し、または制御するために特定のソフトウェアを実行するために用いることができる。
【００４３】
また、当然のことではあるが、アンテナ３０１とアンテナ３０２との間の複数の接続のうち少なくとも１つは、光ファイバーケーブルを用いた本例のリピータモジュールに接続されていてもよい。あるいは、８００２．１６モデム等のモデム３２０は、ネットワークにおけるチャネル割り当て情報を収集するべく、例えば制御チャネル情報に関連するシグナリング情報を復調するために用いられてもよい。モデム３２０は、変調されたデータを送信するために用いてもよい。
【００４４】
当然のことではあるが、検出器３１１は、それ自体で中継を可能化するように用いられてもよいし、同期化されたアップリンクフレームタイミングまたはダウンリンクフレームタイミングと協調して使用されてもよい。あるいは、検出器３１１はアップリンクおよびダウンリンクの同期を維持するためだけに用いられてもよい。例えば、一旦同期が実現されると、あるアンテナの検出器３１１が当該アンテナから他方のアンテナへの中継を実現させればよい。しかし、検出器３１１が、当該アンテナ用の有効な中継スロットとして規定されていないタイムスロットにおいて信号を検出した場合、検出器３１１はその情報を中継しなければよい。
【００４５】
上述したリピータ３００用のＮＭＳは、建物内分配リピータ関連およびインフラストラクチャリピータ関連のような特定のケースに実装することができる。しかし、モデム、マイクロプロセッサ、およびメモリの追加コストに鑑みれば、典型的なパーソナルタイプのリピータにＮＭＳを使用する選択肢は期待できない。ＮＭＳは、遠隔ゲイン調整機能、遠隔ファームウェアアップグレード機能、インターネットファイアーウオール機能、ＶＰＮ機能、ペアレンタルコントロール機能、およびスパムフィルタリング機能を有し、加入者宅内機器（ＣＰＥ）ベンダーとの協調によって構築される。
【００４６】
指向性アンテナ２２０における受信信号強度指標（ＲＳＳＩ）の時間に対する振る舞いを、図４のグラフ４００に示す。なお、Ｔ／Ｒ−ＴＧ４０１、４０４、４０６および１つ前のサブフレームからのマルチパスパワーは、図示の都合上縮尺通りに示されていない。上記の３つのステップから得られた情報は、リピータ２１０によるアップ／ダウン送信選択処理における検出閾値を変更するために用いてもよい。そのアップ／ダウン送信選択処理は、結局のところ、既知のアップリンクのスロットおよびダウンリンクのスロットの同期に基づいてアップリンクとダウンリンクの検出閾値が動的に変更されるような推測的検出アルゴリズムとなる。
【００４７】
典型的には最低５マイクロ秒持続すると特定されるＴ／Ｒ−Ｔ／Ｇ４０１、４０４、４０６の間、アップリンクにおいてもダウンリンクにおいても電波のやりとりはない。これらＴＲギャップを特定するために、ＲＳＳＩに対応するウィンドウ関数を用いることができる。算術平均を用いるウインドウイングは以下のような形態となる。
【００４８】
【数１】
2008503907.tif 000003
ここで、Ｗはサンプル数である。インデックスｎは、その間にＲＳＳＩ信号４０２および４０５がサンプリングされる離散時間間隔を示す。この離散時間間隔は、正確にサブフレームタイミングを特定するために、例えば、最小Ｔ／Ｒ−ＴＧ持続時間である５マイクロ秒の１／２５のサンプル期間としてもよい。最小のＴ／Ｒ−ＴＧが５マイクロ秒である場合、サンプリング周波数は５ＭＨｚとなる。あるいは、新しいサンプルをより強調するために、以下に示すような指数忘却ファクターを用いたウィンドウ関数を用いてもよい。
【００４９】
【数２】
2008503907.tif 000004
式２の形式においては、メモリファクターλは、例えば、上記再帰方程式において６３％パワーとなるような時定数ｔｃが最小のＴ／Ｒ−ＴＧギャップより十分小さくなるように、例えば１μ秒となるように、選んでもよい。有限幾何級数にこのフォーミュラを用いることで、メモリファクターλは、以下のような形式になっていてもよい。
【００５０】
【数３】
2008503907.tif 000005
アップリンクサブフレームとダウンリンクサブフレームの始まりは、フィルターされたＲＳＳＩ値の立ち上がりによって典型的に特徴づけられる。したがって、サブフレームの開始を検出する１つの方法は、フィルターされたＲＳＳＩの連続的な複数の増加を探すことである。すなわち、もし式
【００５１】
【数４】
2008503907.tif 000006
の値が連続的な複数のサンプルで正となっていれば、それがサブフレームの始点であると知ることができる。また、送信ギャップを含むフレームの総持続時間は５ミリ秒であることがわかっており、この知識は２つの送信ギャップ、ダウンリンクサブフレーム、およびアップリンクサブフレームの総時間長が正しいことを確認するために用いることができる。同様に、式
【００５２】
【数５】
2008503907.tif 000007
の値が連続的な複数のサンプルで負となっていれば、それがサブフレームの終端であることが示されていることになる。
【００５３】
あるいは、ＲＳＳＩが閾値セットより高いか低いかを、アナログコンパレータおよび調整可能な参照電圧セットを用いて、マイクロコンピュータ３１３が判断してもよい。この閾値は受信ＲＳＳＩレベルおよび検出確率中の誤検出確率に適合するように変化させてもよい。ある期間内の検出の統計は、同期のために用いる基準とすることができる。例えば、もし暫定的なスロット割り当てが、仮定されたプロトコル環境に対して正しいものであれば、そのスロットにおける候補信号の整合性ある受信についての統計により、そのプロトコル環境についての最初の仮定が正しく、かつその環境における同期が正しかったということを確認できる。
【００５４】
サブフレームの始点および終端の誤検出の可能性を最小限にする方法がいくつかある。例えば、サブフレームの終端においては、
【００５５】
【数６】
2008503907.tif 000008
のパワーレベルがノイズレベルより非常に大きく、かつ、
【００５６】
【数７】
2008503907.tif 000009
の減少率が高いことがわかっている。同様に、サブフレームの始点においては、
【００５７】
【数８】
2008503907.tif 000010
のパワーレベルがノイズレベルに近く、かつ、
【００５８】
【数９】
2008503907.tif 000011
の増大率が高いことがわかっている。このように、ノイズレベルに対する
【００５９】
【数１０】
2008503907.tif 000012
のパワーレベル、およびその微分の強度についての知識を、誤検出を最小限にとどめるために用いることができる。
【００６０】
さらに、検出されたサブフレームがアップリンク方向のものであるかダウンリンク方向のものであるかについての判定を行う必要がある。ユーザチャネルがまとめてグループ化された、８０２．１６等のプロトコルでは、指向性アンテナ２２０のような基地局側アンテナにおける受信信号強度は、アップリンクサブフレームの場合よりもダウンリンクサブフレームの場合の方がはるかに高い。これは、例えば、指向性の屋外アンテナが用いられた場合におけるアップリンクとダウンリンクの間の強いアイソレーションによるものである。このように、より高いパワーレベルのサブフレームがダウンリンクサブフレームとなり、より低いパワーレベルのサブフレームがアップリンクサブフレームとなる。
【００６１】
ダウンリンクサブフレームおよびアップリンクサブフレームのタイミングが決定すると、例えば検出アルゴリズムのトラッキングモードが開始される。非コヒーレントＲＳＳＩスロープ検出アルゴリズム等のアルゴリズムで、フレームの開始時および終了時を追跡することができる。例としてダウンリンクサブフレーム開始時ループについて考える。ダウンリンクサブフレームの始点がｓ（ｎ）に見積もられたとする。すると、５ミリ秒フレームから次の５ミリ秒フレームへと、ダウンリンクサブフレームの開始タイミングが以下の式を用いて調節される。
【００６２】
【数１１】
2008503907.tif 000013
ここで、ｄ（ｎ）は、ダウンリンクサブフレームの開始タイミングが調節される方向であり、ｗは始点ｓ（ｎ）に関するメモリファクターである。ｄ（ｎ）は以下の式によって定義される。
【００６３】
【数１２】
2008503907.tif 000014
ここで、Ｎはフレームのスタートタイミングのどちらかの側におけるサンプルの数である。ここで、
【００６４】
【数１３】
2008503907.tif 000015
である。ダウンリンクサブフレームの始点における
【００６５】
【数１４】
2008503907.tif 000016
の大きな増加のみが正値につながるように、式６の閾値を大きくする必要がある。図４に鑑みれば、閾値４０３はベースライン閾値を示すようになっていてもよい。
【００６６】
上述の通り、仕様によれは、行きアンテナと戻りアンテナの間のアイソレーションとして７５ｄＢが要求される。実際には、各アンテナの指向性、および外部アンテナと内部アンテナの間にある壁の存在により、アイソレーションの量はさらに大きくなっていてもよい。非周波数変換型リピータの配置は、既に実際にあるので、経験的にもアイソレーションが困難な課題となることはない。窓に配置するタイプのシングルユニットのようなリピータの実現例においては、４０ｄＢから５０ｄＢのアイソレーション程度になるかもしれないが、この場合は増幅量を低減するようにしてもよい。
【００６７】
しかし、増幅のループによる不安定性を引き起こすフィードバック現象において、自動ゲインコントロール（ＡＧＣ）回路はそのフィードバック状態を検出し、信号の増幅を抑えることで、リピータのゲインを犠牲にして不要な発振を除去するようになっている。ｘ［ｎ］を、離散時間ｎにおける入力信号とする。入力アンテナで受信し出力アンテナで計測したときの信号の総ゲインは、ｇａで表される。離散時間ｎにおける出力信号はｙ［ｎ］で表される。フィードバックパケットはフィードバックゲインｇｆおよび単位時間の遅延から成る。このとき、以下のような差分方程式が得られる。
【００６８】
【数１５】
2008503907.tif 000017
安定性を確保するためには、増幅ゲインとフィードバックゲインの積が１以下であることが必要である。言い換えれば、ｇｆで表される送受信アンテナ間のアイソレーションは、リピータを通るときの信号のゲインｇａよりも大きくなければならない。
【００６９】
各実施形態において、図３に示すようなリピータ３００は、必要であれば、信号の増幅が必要な方向を例えば上述の通り決定するために必要な時間だけ、受信無線周波数信号を遅延させるようになっていてもよい。Ｔ／Ｒスイッチ３０２、３０３およびＴＸスイッチ３１５、３１７等のすべての送信および受信スイッチは、遅延された入力信号がＰＡ３１６に届くすぐ前に、正しい方向にセットされるようにすることで、信号の一部が切り取られることがなくなる。
【００７０】
増幅の方向は、規定されたタイムスロットおよび同期化されたフレーミングに基づいて知ることができる。このように、上記の技術は中継を実現するために組み合わせて用いられてもよい。例えば、ある特定のアンテナポートにおける同期および検出は、中継を実現するためには必要である。言い換えれば、あるアンテナポートにおいて信号が検出されるべきとき（例えば同期が実現した正しいアップリンクまたはダウンリンクのスロット期間中等）にその信号検出される場合のみ、中継が実現される。
【００７１】
隣接セルの干渉の問題については、リピータ３００は、同じネットワーク内の隣接セルの端部に位置する加入者端末のうちいくつかの端末との伝送ビットレートを、隣接セルの干渉の存在を原因として、低下させるようになっていてもよい。
【００７２】
対照的に周波数変換型のリピータにおいては、加入者からの信号が別の周波数帯に中継されるので、干渉が増大することがない。リピータ３００は加入者端末よりも比較的良好な環境下にあるので、このような周波数変換型のリピータの場合、アップリンクにおいては、基地局に割り当てられた周波数中の、隣接するセルへの干渉は小さい。ダウンリンクにおいても、同じ理由により、基地局からの信号が加入者端末に干渉を及ぼすこことは少ない。
【００７３】
非周波数変換型リピータの場合、特にリピータのゲインが高いとき、ダウンリンクにおいて周囲のセルサイトへの付加的な干渉が発生する。しかしながら、アンテナを下方へ十分傾けることで、干渉の効果を緩和することができる。さらに、リピータはその定義上、リピータなしでは信号強度が非常に低くなってしまう領域において信号増幅を行うことが多いので、周囲のセルの端部や構造物の内部等においては、干渉信号の総強度が非常に高くならないと考えられる。また、再利用ファクターが１であるような配置の場合、隣接する基地局は、セル端部のユーザのそれぞれに送信するために異なるＯＦＤＭＡサブキャリアを選択してもよい。これによって、セルの端部においてビットレートを向上させることができる。
【００７４】
ＰＨＳの場合、個々の基地局またはＣＳが動的周波数割り当てを行うので、干渉はほとんど発生しない。ある実施形態においては、リピータは、既知のスロット構造および３００ＫＨｚのタイムスロットチャネルの１つ（例えばただ１つのキャリア周波数中の制御チャネル）に基づいて、同期および追従を行う。リピータは２０ＭＨｚの周波数帯域に渡って中継を行うことで、狭帯域検出および２０ＭＨｚの全帯域に渡る広帯域非周波数変換型中継を、アップリンクおよびダウンリンクの両方の方向で、狭帯域チャネル上の同期のみに基づいて、行うことができる。
【００７５】
アップリンクにおいても、目標となる基地局の干渉レベルは同じであるが、隣接する基地局においては、リピータがその対象とする基地局に近いことから、干渉レベルが低くなる。ＩＥＥＥ８０２．１６ベースのシステムにおいては、セルの周辺に位置するユーザは、異なるサブキャリアに割り当てられる。これは、もしセルサイズがリピータによって拡大されても、サブキャリアを用いることで干渉は抑制されることを意味する。
【００７６】
アクティブＲＦリピータを使用すれば、データリンク層またはネットワーク層で作動する蓄積交換リピータを使用する場合に比べて、遅延、ビットレート、複雑性の点で有利である。蓄積交換型のリピータは、信号を再構成してから再送信することで、レンジを拡大し、またはシステムのスループットを向上させる。このリピータシステムを評価するために、単純な指数関数的パワー経路減衰モデルを用いることができる。信号がｎ次のオーダーの経路減衰モデルに従い、リピータが加入者端末とアクセスポイントとの中点にあるとする。リピータが受信したパワーの、加入者に対する比は、
【００７７】
【数１６】
2008503907.tif 000018
となる。
【００７８】
したがって、３次の経路減衰の場合、蓄積交換型リピータは、受信したＳＮＲに９ｄＢのゲインをもたらす。表１は、ＩＥＥＥ８０２．１６標準における、変調レートおよび符号化スキーム毎のＳＮＲレベルの要求値およびブロック当たりのビット数を示している。最下端の３つの変調スキームについては、リンクバジェットの９ｄＢの改善によってブロックサイズが２〜３倍に改善される。これは、マージンおよび遅延の増大があるものの、パケットを２回送信するまでもなく、総スループットの改善があることを意味する。表１は、変調および符号化レートスキーム毎のブロックサイズの改善を示している。ブロックサイズ改善比とは、例えば、９ｄＢがリンクバジェットに付加されたときの、ブロック中のビット数の増大をいう。高次のオーダーの経路減衰がある場合、さらに大きなスループットの改善が期待される。
【００７９】
アクティブＲＦリピータは、蓄積交換型のリピータに比べて、遅延の改善、スループットの完全、および複雑性の緩和という点で有利である。さらに、データセキュリティーのスキームも、ＲＦベースのリピータにおいては維持される。というのも、暗号鍵が必要でないからであり、それによって複雑性および管理負荷が低減される。ＲＦリピータにおける遅延は１マイクロ秒未満であり、場合によっては数百ナノ秒となる。一方、蓄積交換型のリピータはフレームの持続時間（ＩＥＥＥ８０２．１６の場合５ミリ秒）よりも長くなる。遅延に対してセンシティブなアプリケーションの多くにおいては、このような長い遅延は耐えられないものである。蓄積交換型リピータにおけるビットレートのボトルネックは、最も遅いポイントトゥーポイントリンクのビットレートによって最大ビットレートが制限されることで発生する。常に加入者端末と基地局との中点に正確にリピータを配置することは不可能であるので、スループットとレンジの改善効果は大きく制限される場合がある。また、表１に示すように、小さいブロックサイズの場合にはビットレートの改善効果は大きいが、ブロックサイズが大きくなるとその効果は低くなる。個々のパケットは２度送信されなければならないので、Ｒ＝３／４の１６ＱＡＭおよび６４ＱＡＭ変調においては、蓄積交換型リピータのセルのスループットは低下する場合がある。また、蓄積交換型リピータは、パケットの再構成および再送信のために不可避的に発生する付加処理のために、本来的に複雑になってしまい、それがリピータの価格の上昇および電力消費の増大に繋がってしまう。セキュリティ、サービス品質（ＱｏＳ）および導入コスト、ネットワークマネージメントにまつわるプロトコルの現実的な制限により、このような蓄積交換型のリピータが広く利用されることが阻害されている。
【００８０】
以下の通り、表１はＩＥＥＥ８０２．１６シグナルコンステレーションの受信ＳＮＲおよび非符号化ブロックサイズ、および、９ｄＢのＳＮＲの改善に伴うブロックサイズの改善比を示している。
【００８１】
【表１】
2008503907.tif 000019
当然のことであるが、加入者端末および基地局装置における内的および外的パワーコントロールループの範囲内で、実施形態のリピータはゲインを提供することができる。例えば、上記のように、本例のリピータは設定ユーティリティを用いてプログラム可能に、４０から８０ｄＢの間のゲインを提供することができる。この４０から８０ｄＢのゲイン幅は、パワーアンプのピークパワーが１５ｄＢｍに制限されていることから来るものである。自動ゲイン制御（ＡＧＣ）ループはＩＥＥＥ８０２．１６ｄ／ｅプロトコルの高速アップリンクパワー制御を実現するようになっている。この高速アップリンクパワー制御は、ベンダーによって内容は異なるが、最大３０ｄＢｓ／秒までのフェージングまで対応するように要求されている。リピータにおけるＡＧＣループの目的は、上述のような発振によって、または、電波源からの入力アンテナへの過大なパワーによって発生するパワーアンプの飽和を回避することにある。しかしながら、そのような状況が頻繁に発生することはあまりないので、このような目的のためには、例えば周期的な１０ｄＢの調整のような、頻繁でなくかつ大まかなＡＧＣレベルの調整が適切でる。
【００８２】
ＡＧＣループにおいてゲインを大きく調整すると、システムが不安定になりがちである。例えば、下方調整はフレーム消失を招き、上方調整は隣接するセルとの干渉を増大させる。それゆえ、調整の頻度を制限するための方策が必要となる。調整を制限する１つの方法は、単に、ＰＡ飽和レベル未満の特定の通常作動レベルで作動させることである。他の方法は、パワーアンプのヒートシンクを過大な性能を持たせて製造することで、ある限定された長さの期間において通常のピークレベルを超える発熱にパワーアンプが絶えられるようにし、さらに、パワー出力が設計上の限界を一定期間超えたときにのみＡＧＣゲインを調整することである。
【００８３】
アップリンクサブフレームとダウンリンクサブフレームのそれぞれにおいて独立にＡＧＣの状態を管理することも有効な場合がある。独立管理の目的としては、加入者端末のパワーアンプのゲインを下げる変わりにリピータのアップリンクゲインを上げることで、加入者端末の電力消費を抑え、かつ、干渉を低減することがある。リピータのアンテナの指向性が強く、かつリピータにおいて電波の伝達環境が基本的に良いことから、リピータのアップリンクゲインを上げることで、周囲のセルサイトへの干渉の少ない目標受信感度を達成することができる。単純なｎ次のオーダーの指数的経路減衰について考える。基地局が加入者端末２３２からｒメートル離れている状態で、目標受信感度Ｐ（ｒ）に対応するために、ある送信パワーレベルＰ＿０が必要であるとすると、受信感度は以下のように定義される。
【００８４】
【数１７】
2008503907.tif 000020
２番目のケースとして、リピータがｒ／２メートル離れているとする。この場合、受信感度は以下のようになる。
【００８５】
【数１８】
2008503907.tif 000021
リピータの入力アンテナにおける受信パワーを、基地局の入力アンテナにおける受信パワーと同等とするには、送信パワーレベルの比は以下のようになる。
【００８６】
【数１９】
2008503907.tif 000022
このように、同一の受信感度を有するリピータに到達するためのトータルパワーはちょうど−３ｎｄＢとなる。信号の経路を２つの部分に分割することで、加入者端末とリピータ局の総送信パワーは、直接送信の場合よりも、−３ｎ＋３ｄＢだけ変化する。３次のオーダーの経路減衰の場合、合計−６ｄＢだけ変化した総送信パワーレベルが必要となる。この３次のオーダーの経路減衰が、リピータのアンテナの近隣の基地局との良好なアイソレーションと組み合わさることで、加入者端末と基地局との中点にアップリンクリピータが配置されたことにより、非常に低いセル外干渉が達成される。
【００８７】
当然ながら、リピータを通じた信号の増幅は、一般的にＯＦＤＭ波形を変形させることはない。本例におけるリピータはラジオ周波数レベル作動し、また、リピータによって適用されるゲインは、例えばＩＥＥＥ８０２．１６においては１０ＭＨｚの通過幅に渡ってフラットであるので、ＯＦＤＭサブキャリア波形は変形することなくリピータを通過する。もし増幅されていない信号と増幅された信号が両方とも受信機に到達すると、ＲＭＳ遅延拡散が増加する。しかし、リピータを介した遅延は１０００ナノ秒未満であり、典型的には数百ナノ秒であるので、受信機によるシンボル間遅延の増大は最低限のものとなる。なぜなら、個々のＯＦＤＭシンボルの開始における１２．８マイクロ秒の周期的プレフィックス内に、遅延は十分収まるからである。
遅延は
送信アンテナと受信アンテナのダイバシティスキームも本実施形態に適用することができる。例えば、ＩＥＥＥ８０２．１６標準は時空間符号化（ＳＴＣ）の構造を規定している。ＳＴＣは、本実施形態のリピータにも適用可能な３ＧＰＰ／ＰＰ２標準で標準化された時空送信ダイバシティ（ＳＴＴＤ）と類似している。また、あらゆる種類の送信と受信のダイバシティを本実施形態に適用することができる、というのも、通過帯域中の受信信号のすべてが等しく増幅されるからである。実効的な無線チャネルはリピータによって変化させられるが、すべてのアンテナから送信される中継信号における位相およびゲインの変更は一定である。このように、送信および受信アンテナダイバシティスキームに対する悪影響はない。したがって、多重入力多重出力（ＭＩＭＯ）システムは、例えば、多重非周波数変換型リピータを複数用いて実現することができる。ＭＩＭＯとは、送信機側の複数のアンテナと受信機側の複数のアンテナを用いた多重無線接続をいう。複数のアンテナを用いることで、無線環境空間次元を無線接続の性能改善に用いることができる。
【００８８】
ＰＨＳの作動においては、システム全体で制御チャネルタイムスロットを固定周波数とすることで、ＰＳが制御チャネルの位置を特定のセルに依らずに知ることができ、ＰＳがセル間を移動するときに制御チャネルを探す必要がなくなるので、ハンドオーバー等が容易になる。トラフィックチャンネルは、動的チャネル割り当て（ＤＣＡ）に従い、使用形態および干渉レベルに基づいてＣＳによって動的に割り当てられる。ＤＣＡは、固定周波数割り当てを排することで、周波数スペクトルの効果的な使用が可能となる。実際、トラフィックチャネルのタイムスロットおよび周波数はセッションまたは呼毎に変化してもよい。ＤＣＡのアプローチはＰＨＳおよびＷｉＭＡＸにとっては重要である。というのも、例えばＰＨＳでは、２０ＭＨｚの帯域内のアップリンクタイムスロットおよびダウンリンクタイムスロットの両方において、複数の通信事業者がサポートされているからである。
【００８９】
なお、例えば、時間領域および周波数領域の両方で多重化を許容するＩＥＥＥ８０２．１６ＯＦＤＭＡによって許可されるように、複数の同時送信が異なるＯＦＤＭサブチャネルで発生すると、それらのこのユーザへの送信はそれぞれ異なるサブキャリアを同時に占有する。本例のリピータは、アップリンクおよびダウンリンクのサブフレーム中でどれだけの数のユーザが送信を行っているかに関わらず、それらサブフレームの開始時点に同期するので、リピータは複数の同時送信を問題なく増幅することができる。占有されるサブキャリアの数が変化するとＡＧＣ入力パワーにゆらぎが発生するが、ゲイン制御アルゴリズムはそのような場合にも十分な正確性のマージンを提供する。
【００９０】
種々の実施形態に対応するＴＤＤリピータ例の作動をより良く理解するために、図５に、通常の作動のフローチャートを示す。この作動は３つの基本作動状態、すなわち、初期化状態５１０、捕捉状態５２０、および追従＆中継状態５３０に分けられる。５１１のスタートの後、５１２で、リピータは起動すると共に、ＰＨＳ、８０２．１６等のプロトコル環境に対応する作動のための特定のパラメータ、例えば、ゲインパラメータ、検出閾値等と共に初期化される。このときリピータは、特定のプロトコルに対応する作動を行うようあらかじめ作られており、５１２では、あらかじめ決められたプロトコルのための設定パラメータが読み出されて設定される。リピータはデフォルトの作動モードにあらかじめ設定されていてもよいし、無線環境を検知して、どのようなパラメータを適用すべきかの決定を行う。
【００９１】
なお、種々の実施形態においては、リピータのハードウェアは１つのネットワーク環境（例えばＰＨＳ、８０２．１６等）用に構成されている。したがって、図５はＰＨＳまたは８０２．１６ベースのネットワーク環境に関する判定ブロックを表しているが、このような複数ネットワークの判定構造は、当然ながら説明のためのみのものである。あるいは、リピータのハードウェアは典型的には唯一の環境においてのみ作動するように構成されているものの、リピータのソフトウェアは、多くのネットワーク環境で利用可能な共通ソフトウェアベースのものであってもよいし、１つのネットワーク環境専用のものであってもよい。このように、当初からの設定、初期化中の割り当てまたは設定、検出等を通じて、例えば、作動対象のネットワークが、５１３でＰＨＳネットワークに、５１４で８０２．１６または他のネットワークに、決められる。
【００９２】
ネットワーク環境がＰＨＳネットワークである場合、捕捉状態５２０において、リピータは、提供者アンテナからのダウンリンク信号である狭帯域信号を、５２１で検出することができる。信号が検出されると、５２２で、自動ゲイン制御（ＡＧＣ）パラメータおよび他のパラメータがセットされ、基本タイミングの決定が試みられる。その試みにおいては、検出された信号の特性を、ダウンリンクの繰り返し周期または他の先見的情報および／または経験則等の既知の情報（制御チャネルの位置を示すものであってもよい）とが比較される。ダウンリンク信号は、ひとたび捕捉されると、５２３で、例えば２０ＭＨｚの全バンド幅で加入者に中継され、また、引き続きダウンリンクの検出と、例えば追従が実行されてもよい。
【００９３】
ネットワークが８０２．１６または他のネットワークである場合、５２４で、ダウンリンクまたは提供者側が全バンド幅で検出されてもよい。信号が検出されると、５２５で、自動ゲイン制御（ＡＧＣ）パラメータおよび他のパラメータがセットされ、基本タイミングの決定が試みられる。その試みにおいては、検出された信号の特性を、ダウンリンクの繰り返し周期または他の先見的情報および／または経験則等の既知の情報（制御チャネルの位置を示すものであってもよい）とが比較される。ダウンリンク信号は、捕捉されると、５２６で、例えば２０ＭＨｚの全バンド幅で加入者に中継され、また、引き続きダウンリンクの検出が行われてもよい。
【００９４】
最後に、捕捉状態５２０が完了すると、５３１で、加入者側でアップリンク信号が検出され、基地局またはＣＳに中継される。本例の処理においては５３２で終了するように示されているが、当然のことながら、上記の手順および処理は、示されたように、より大きいループ手順の一部であってもよい。また、当業者にとっては理解可能であるが、上記の手順は、終了するのではなく繰り返されるようになっていてもよいし、他の処理等に繋がるようになっていてもよい。
【００９５】
同期を含む種々の実施形態に対応する処理手順例のより詳細な図を図６に示す。スタート６１１において、例えば上記の初期化は既に実行されて捕捉状態６１０に入っているのは明らかである。スタートの後、すなわち初期化の後、本例のリピータは６１２で、おそらく基地局またはＣＳからの、提供者側のダウンリンク信号を検出することができる。リピータは、ＡＧＣの値に関連するゲインレベル等、およびそれらに関連するパラメータを設定することで、捕捉のための信号に処理を注力するようになっていてもよい。捕捉の後、同期状態６２０に入る。
【００９６】
同期状態６２０において、リピータはダウンリンク信号中でタイミングの規則性または周期性を探し、そのタイミング情報を種々のプロトコルに関連する既知の情報と比較することで、リピータが置かれたネットワークのタイプを６２１で特定しようとする。なお上記の通り、リピータは、既知のダウンリンクおよびアップリンクの特性に対応する間隔や期間の位置を特定するために、ＲＳＳＩおよび他のパラメータに関連する統計情報を利用することができる。ネットワークについての推定の正しさを確認するために他の統計的方法を用いてもよい。例えば、もし自らがＰＨＳネットワーク内にいるとリピータが推定すると、リピータは制御チャネルの推定位置（例えばスロットまたはスロットペア（すなわちアップリンクおよびダウンリンク））を求めることができる。リピータは、統計情報をある捕捉期間に渡って積み重ねることで、推定したチャネルが制御チャネルであることを特定の確度で確認することができる。
【００９７】
当然のことながら、図３のモデム３２０等のモデムを備えたリピータにおいては、上述の通り、制御チャネル位置、チャネルタイミング、トラフィックチャネル割り当て、パワー制御等の情報を取り出すことで、所望のスロットおよび／または帯域を効率よく正確に中継するというリピータ性能を６２２で改善することができる。
【００９８】
同期が確立すると、リピータは追従＆中継状態６３０に進み、そこで検出結果は、６３１で、中継のためのみならず、同期の維持および例えば加入者方向への中継に用いられる。当然のことながら、上述の通り、検出および同期が有効である場合にのみ、すなわち、検出された信号が適切なタイムスロット内にある場合にのみ、選択的に中継が実行される。同期を維持する際には、トラフィックチャネルのスロット当に関するタイミング情報と、検出を通じて決定されたタイミングとの間のタイミング差が増大すると、リピータによって管理されるタイミング情報が調整されるようになっていてもよい。
【００９９】
同期の確立後、加入者側のアップリンク信号が検出されて、例えば提供者アンテナ６３２へと中継されてもよい。なお、例えばアップリンク信号が加入者側アンテナで検出されたけれどもそれは誤ったタイムスロット内であった場合、信号は中継されることはない。中継を行うためには、信号が検出され、かつ、その信号の同期が適切に確立していなければならない。この本例における手続は６３３で終了する旨示されているが、当然のことながら、図５に関連して示されたように、本例の手続はループによって繰り返されてもよいし、他の処理等に繋がってもよい。
【０１００】
このように、上記のような手順および回路を用いることで、非再生型、物理層（ＰＨＹ）、かつＴＤＤタイプの中継が望まれる環境において、種々のプロトコル環境における中継が実現する。図７にも示す上述のＰＨＳ等の、いくつかのプロトコル環境においては、チャネル構造が固定しており、それによって検出および同期が非常に容易になっている。タイムスロット割り当てと周波数との関係を示す図７のチャートのように、典型的なＰＨＳシステムは複数の周波数キャリア、すなわち制御キャリア７０１、キャリア１  ７０２、キャリア２  ７０３、およびキャリア３  ７０４、を有している。これらキャリアのそれぞれは４つのチャネル、すなわちチャネル１〜チャネル４、および８つのタイムスロットをサポートしている。各チャネルはアップリンクとダウンリンクのタイムスロットのペアを有し、それらチャネルのうち１つは、制御チャネルである。制御チャネルはあるキャリアに割り当てられており、そのキャリアは、例えば、キャリア１  ７０２〜キャリア３  ７０４等のトラフィックチャネルキャリアとは異なるキャリア、例えば制御キャリア７０１である。これらのトラフィックチャネルはタイムスロットによって区別されるので、同一または異なるキャリアを有していてもよい。キャリア間隔は３００ｋＨｚであり、周波数帯は現在の標準によれば７７チャネルを提供する１８９５．１５〜１９１７．９５ＭＨｚ帯である。典型的なＰＳｈａ１０ミリワット以下の電力で送信し、典型的なＣＳは５００ミリワット以下の電力で送信する。π／４シフトＱＰＳＫ変調の場合、送信レートは３８４ｋｂｐｓ程度である。図７に示すように、ＰＨＳ送信フレーム用のフレーム持続時間７２１は普通５ミリ秒であり、そのうち２．５ミリ秒がダウンリンクフレーム７２２およびアップリンクフレーム７２３に予約されている。ダウンリンクフレーム７２２およびアップリンクフレーム７２３のそれぞれは制御チャネルおよび３つのトラフィックチャネルを有している。ダウンリンクフレーム７２２はダウンリンク制御チャネル７１１、それに続くダウンリンクトラフィックチャネル１  ７１２、ダウンリンクトラフィックチャネル２  ７１３、ダウンリンクトラフィックチャネル３  ７１４を有している。アップリンクの側ではアップリンクフレーム７２３はアップリンク制御チャネル７１５、それに続くアップリンクトラフィックチャネル１  ７１６、アップリンクトラフィックチャネル２  ７１７、アップリンクトラフィックチャネル３  ７１８を有している。
【０１０１】
この技術における当業者ならば、他の信号検出器の構成を決定し、本発明における検出の閾値等を設定するための例えば上記のような種々の技術を認識することができるだろう。また、検出器要素３０９、３１１、複合ロジック要素３１４、マイクロコンピュータ３１３の機能、および他の要素等の種々の構成要素は、１つの統合装置にまとめられてもよい。種々の構成要素およびそれらの相互作用に対する他の変更および置き換えは、本技術の当業者ならば、本発明の範囲よび意図から外れることなく行うことができる。
【図面の簡単な説明】
【０１０２】
【図１】種々の実施形態の例における非周波数変換型のリピータの一例を示す図である。
【図２】加入者側と基地局側とを含む、非周波数変換型のリピータの環境の一例を示す図である。
【図３】非周波数変換型のリピータの一例についての、検出およびリピータ回路の一例を示す概念図である。
【図４】非周波数変換型リピータの一例についての種々の実施形態における検出例の、受信信号強度指標（ＲＳＳＩ）と時間との関係を示すグラフである。
【図５】非周波数変換型リピータの一例についての種々の実施形態における、リピータのＴＤＤ間隔との同期を示す流れ図である。
【図６】非周波数変換型リピータの一例についての種々の実施形態における、同期されると共にスケジュールされたＴＤＤリピータの通常作動を示す流れ図である。
【図７】非周波数変換型リピータの一例についての種々の実施形態における、ＰＨＳ用の周波数割り当てプランを示すグラフである。
【図１】
2008503907.tif 000023
【図２】
2008503907.tif 000024
【図３】
2008503907.tif 000025
【図４】
2008503907.tif 000026
【図５】
2008503907.tif 000027
【図６】
2008503907.tif 000028
【図７】
2008503907.tif 000029
【手続補正書】
【提出日】平成18年9月5日(2006.9.5)
【手続補正１】
【補正対象書類名】特許請求の範囲
【補正対象項目名】全文
【補正方法】変更
【補正の内容】
【特許請求の範囲】
【請求項１】
アップリンクにおいて第１の局へ送信を行う第２の局に対し、ダウンリンクにおいて前記第２の局へ送信を行う前記第１の局から送信される信号を、時分割二重（ＴＤＤ）プロトコルに基づいて、非再生中継する方法であって、
前記アップリンクと前記ダウンリンクのうち１つまたは複数に対応する期間において信号を検出すること、
前記アップリンクにおいて前記信号を検出した場合、前記信号を、前記第２の局から前記第１の局へ、前記第１の局に向けられた第１のアンテナを用いて再送信すること、および
前記ダウンリンクにおいて前記信号を検出した場合、前記信号を、前記第１の局から前記第２の局へ、前記第２の局に向けられた第２のアンテナおよび無指向性アンテナのうち１つを用いて再送信することを含み、
前記第１のアンテナ、前記第２のアンテナ、および前記無指向性アンテナのうち１つまたは複数についての形態因子は、前記検出することおよび前記再送信することを容易にするようになっていることを特徴とする方法。
【請求項２】
前記検出することに相当する時間を埋め合わせるために、前記信号を前記第２の局から前記第１の局へ再送信することの前に、および、前記信号を前記第１の局から前記第２の局へ再送信することの前に、前記信号に遅延を加えることを更に含む請求項１に記載の方法。
【請求項３】
前記遅延は前記プロトコルに対応するタイムアウトパラメータより短いことを特徴とする請求項２に記載の方法。
【請求項４】
前記検出することは、受信信号強度指標についての窓関数を用いて、アップリンク期間とダウンリンク期間の間の間隔のうち１つまたは複数を検出することを含む請求項１に記載の方法。
【請求項５】
前記検出することは、前記ＲＳＳＩについての増大を検出することで、前記アップリンク期間および前記ダウンリンク期間のうち１つまたは複数の開始を検出することを特徴とする請求項４に記載の方法。
【請求項６】
前記検出することは、前記アップリンク期間を相対的に小さいパワーレベルに対応するものとして特定すること、および、前記ダウンリンク期間を相対的に大きいパワーレベルに対応するものとして特定することを含む請求項４に記載の方法。
【請求項７】
前記アップリンクおよび前記ダウンリンクに対応するパラメータを表すことを更に含み、前記表すことが表す前記パラメータは前記第１のアンテナ、前記第２のアンテナ、前記無指向性アンテナのうち１つまたは複数の設置を容易にするためのものであることを特徴とする請求項１に記載の方法。
【請求項８】
前記パラメータは前記アップリンクおよび前記ダウンリンクに対応する同期レベルを含むことを特徴とする請求項７に記載の方法。
【請求項９】
前記プロトコルは、ＩＥＥＥ８０２．１６プロトコル、８０２．２０プロトコル、ＩＥＥＥ８０２．１６ｄプロトコル、ＩＥＥＥ８０２．１６ｅプロトコル、ＩＥＥＥ８０２．１６ｄ／ｅプロトコル、パーソナルハンディホンシステム（ＰＨＳ）プロトコル、および時分割同期符号分割多重アクセス（ＴＤＳ−ＣＤＭＡ）プロトコルのうち１つを含むことを特徴とする請求項１に記載の方法。
【請求項１０】
前記第１の局は基地局を含み、前記第２の局は加入者端末を含むことを特徴とする請求項１に記載の方法。
【請求項１１】
前記アップリンク用の第１の自動ゲイン制御（ＡＧＣ）レベルを管理すること、および、前記ダウンリンク用の第２のＡＧＣレベルを、前記第１のＡＧＣレベルとは別に管理することを含む請求項１に記載の方法。
【請求項１２】
無線接続におけるアップリンクにおいて第１の局へ送信を行う第２の局に対し、前記無線接続におけるダウンリンクにおいて前記第２の局へ送信を行う前記第１の局から送信される信号を、時分割二重（ＴＤＤ）プロトコルに基づいて中継する非再生型および非周波数変換型のリピータであって、
前記無線接続を介して前記第１の局と接続する第１のアンテナと、
前記無線接続を介して前記第２の局と接続する、第２のアンテナおよび無指向性アンテナのうちいずれか一方と、
前記第１のアンテナ、および、前記第２のアンテナと前記無指向性アンテナとのうち前記一方、と接続するリピータモジュールと、を備え、
前記リピータモジュールは、
前記アップリンクと前記ダウンリンクのうち１つまたは複数において前記信号の存在を検出する検出回路と、
前記アップリンクにおいて前記信号を検出した場合、前記信号を、前記第２の局から前記第１の局へ、前記第１の局に向けられた第１のアンテナを用いて再送信し、また、前記ダウンリンクにおいて前記信号を検出した場合、前記信号を、前記第１の局から前記第２の局へ、前記第２の局に向けられた前記第２のアンテナおよび無指向性アンテナのうち１つを用いて再送信する送信回路と、を有し、
前記第１のアンテナ、前記第２のアンテナ、および前記無指向性アンテナのうち１つまたは複数についての形態因子は、前記信号を中継することを容易にするようになっており、前記形態因子は配置を含むことを特徴とするリピータ。
【請求項１３】
前記第１のアンテナ、および、前記第２のアンテナと前記無指向性アンテナのうち前記１つ、のいずれか１つは、前記リピータモジュールによって提供者アンテナに対応するものとして定義され、
前記リピータモジュールは、前記提供者アンテナから受信した前記信号に同期するように構成されており、
前記提供者アンテナは、当該リピータの設置ガイドラインおよび前記提供者アンテナに対応する信号の既知の特性のいずれか１つに基づいて定義されることを特徴とする請求項１２に記載のリピータ。
【請求項１４】
受信信号強度指標（ＲＳＳＩ）、信号ノイズ比（ＳＮＲ）、およびＥｂ／Ｎ０値のうち１つを含む信号品質指標に基づいて、前記提供者アンテナが定義されることを特徴とする請求項１３に記載のリピータ。
【請求項１５】
前記第１のアンテナ、および、前記第２のアンテナと前記無指向性アンテナのうち前記１つ、のうち少なくとも１つは、前記リピータモジュールに光ファイバーケーブルで接続されていることを特徴とする請求項１２に記載のリピータ。
【請求項１６】
前記アップリンクおよび前記ダウンリンクについてのパラメータの表示を提供する表示部を更に備え、
前記表示は、前記第１のアンテナ、前記第２のアンテナ、および前記無指向性アンテナのうち１つまたは複数の設置を容易にするものであることを特徴とする請求項１２に記載のリピータ。
【請求項１７】
前記パラメータは前記アップリンクおよび前記ダウンリンクに対応する同期レベルを含むことを特徴とする請求項１６に記載の方法。
【請求項１８】
前記リピータモジュールは、前記検出回路による検出と前記送信回路による送信との間に遅延を付加する遅延部を更に有し、
前記遅延は前記検出回路の検出についての時間を埋め合わせることを特徴とする請求項１２に記載のリピータ。
【請求項１９】
前記プロトコルは、ＩＥＥＥ８０２．１６プロトコル、８０２．２０プロトコル、ＩＥＥＥ８０２．１６ｄプロトコル、ＩＥＥＥ８０２．１６ｅプロトコル、ＩＥＥＥ８０２．１６ｄ／ｅプロトコル、パーソナルハンディホンシステム（ＰＨＳ）プロトコル、および時分割同期符号分割多重アクセス（ＴＤＳ−ＣＤＭＡ）プロトコルのうち１つを含むことを特徴とする請求項１２に記載のリピータ。
【請求項２０】
前記第１の局は基地局を含み、前記第２の局は加入者端末を含むことを特徴とする請求項１２に記載のリピータ。
【請求項２１】
前記検出回路は、前記プロトコルにおける受信信号強度指標についての窓関数を用いて、アップリンク期間とダウンリンク期間の間の間隔のうち１つまたは複数を検出するように構成されたプロセッサを更に含むことを特徴とする請求項１２に記載のリピータ。
【請求項２２】
前記プロセッサは、前記ＲＳＳＩについての増大を検出することで、前記アップリンク期間および前記ダウンリンク期間のうち１つまたは複数の開始を検出するように更に構成されていることを特徴とする請求項２１に記載のリピータ。
【請求項２３】
送信された信号を非再生中継する時分割二重（ＴＤＤ）リピータシステムであって、
第１の局と、
ネットワークのプロトコルに従い、無線接続によって前記第１の局と接続する第２の局と、を備え、
前記第１の局は、前記無線接続におけるダウンリンクにおいて前記第２の局へ送信を行い、前記第２の局は、前記無線接続におけるアップリンクにおいて第１の局へ送信を行い、
更に当該リピータシステムは、
前記無線接続を介して前記第１の局に接続する第１のアンテナと、
前記無線接続を介して前記第２の局に接続する、第２のアンテナおよび無指向性アンテナのうち１つと、
前記第１のアンテナ、および、前記第２のアンテナと前記無指向性アンテナとのうち前記一方、と接続するリピータモジュールと、を備え、
前記リピータモジュールは、
前記アップリンクと前記ダウンリンクのうち１つまたは複数において前記信号の存在を検出する検出する検出部と、
前記アップリンクにおいて前記信号を検出した場合、前記信号を、前記第２の局から前記第１の局へ、前記第１の局に向けられた前記第１のアンテナを用いて再送信し、また、前記ダウンリンクにおいて前記信号を検出した場合、前記信号を、前記第１の局から前記第２の局へ、前記第２の局に向けられた前記第２のアンテナおよび無指向性アンテナのうち１つを用いて再送信する送信部と、を有し、
前記第１のアンテナ、前記第２のアンテナ、および前記無指向性アンテナのうち１つまたは複数についての形態因子は、送信された前記信号を非再生中継することを容易にするようになっていることを特徴とするＴＤＤリピータシステム。
【請求項２４】
前記ネットワークは、複数のキャリア周波数を有するパーソナルハンディホン（ＰＨＳ）ネットワークであり、
前記リピータモジュールは、前記複数のキャリア周波数のうち１つに同期して追従すると共に、前記複数のキャリア周波数のうち他のすべての周波数において中継を行うように構成されていることを特徴とする請求項２３に記載のＴＤＤリピータシステム。
【請求項２５】
前記形態因子は、前記第１のアンテナ、前記第２のアンテナ、および前記無指向性アンテナのうち１つまたは複数の配置を含むことを特徴とする請求項２３に記載のＴＤＤリピータシステム。
【請求項２６】
前記アップリンクおよび前記ダウンリンクについてのパラメータの表示を提供する表示部を更に備え、
前記表示は、前記第１のアンテナ、前記第２のアンテナ、および前記無指向性アンテナのうち１つまたは複数の設置を容易にするものであることを特徴とする請求項２３に記載のＴＤＤリピータシステム。
【請求項２７】
前記パラメータは前記アップリンクおよび前記ダウンリンクに対応する同期レベルを含むことを特徴とする請求項２６に記載の方法。
【請求項２８】
前記リピータモジュールは、前記検出回路による検出と前記送信回路による送信との間に遅延を付加する遅延部を更に有し、
前記遅延は前記検出回路の検出についての時間を埋め合わせることを特徴とする請求項２３に記載のＴＤＤリピータシステム。
【請求項２９】
前記送信部に接続される自動ゲイン制御（ＡＧＣ）モジュールを更に備え、
前記ＡＧＣモジュールは、前記アップリンクおよび前記ダウンリンクにおける前記信号についての送信レベルを制御するものであり、
前記送信レベルは、前記ネットワークにおける条件に基づいて、前記アップリンクにおいて第１の所定のレベルに保持され、前記ダウンリンクにおいて第２の所定のレベルに保持されることを特徴とする請求項２３に記載のＴＤＤリピータシステム。
【請求項３０】
前記ＡＧＣモジュールは、前記アップリンクおよび前記ダウンリンクにおける前記信号についての送信レベルを制御するものであり、
前記送信レベルは、前記ネットワークにおける条件に基づいて、前記アップリンクにおいて所定のレベルに保持されることを特徴とする請求項２３に記載のＴＤＤリピータシステム。
【請求項３１】
前記送信部に接続される自動ゲイン制御（ＡＧＣ）モジュールを更に備え、
前記ＡＧＣモジュールは、前記アップリンクおよび前記ダウンリンクにおける前記信号についての送信レベルを制御するものであり、
前記送信レベルは、前記ネットワークにおける条件に基づいて、前記アップリンクにおける複数のチャネルに対応する第１の複数の所定のレベルに保持され、前記ダウンリンクにおける複数のチャネルに対応する第２の複数の所定のレベルに保持されることを特徴とする請求項２３に記載のＴＤＤリピータシステム。
【請求項３２】
前記プロトコルは、ＩＥＥＥ８０２．１６プロトコル、８０２．２０プロトコル、ＩＥＥＥ８０２．１６ｄプロトコル、ＩＥＥＥ８０２．１６ｅプロトコル、ＩＥＥＥ８０２．１６ｄ／ｅプロトコル、パーソナルハンディホンシステム（ＰＨＳ）プロトコル、および時分割同期符号分割多重アクセス（ＴＤＳ−ＣＤＭＡ）プロトコルのうち１つを含むことを特徴とする請求項２３に記載のＴＤＤリピータシステム。
【請求項３３】
前記プロトコルは、ＩＥＥＥ８０２．１６プロトコル、８０２．２０プロトコル、ＩＥＥＥ８０２．１６ｄプロトコル、ＩＥＥＥ８０２．１６ｅプロトコル、ＩＥＥＥ８０２．１６ｄ／ｅプロトコル、パーソナルハンディホンシステム（ＰＨＳ）プロトコル、および時分割同期符号分割多重アクセス（ＴＤＳ−ＣＤＭＡ）プロトコルのうち１つを含むことを特徴とする請求項２３に記載のＴＤＤリピータシステム。
【請求項３４】
前記第１の局は基地局を含み、前記第２の局は加入者端末を含むことを特徴とする請求項２３に記載のＴＤＤリピータシステム。
【請求項３５】
前記第１の局は基地局を含み、前記第２の局は加入者端末を含むことを特徴とする請求項２４に記載のＴＤＤリピータシステム。
【請求項３６】
前記検出部は、前記プロトコルにおける受信信号強度指標についての窓関数を用いて、アップリンク期間とダウンリンク期間の間の間隔のうち１つまたは複数を検出するように構成されたプロセッサを更に含むことを特徴とする請求項２３に記載のＴＤＤリピータシステム。
【請求項３７】
前記プロセッサは、前記ＲＳＳＩについての増大を検出することで、前記アップリンク期間および前記ダウンリンク期間のうち１つまたは複数の開始を検出するように更に構成されていることを特徴とする請求項２４に記載のリピータ。
【請求項３８】
送信された信号を中継する時分割二重（ＴＤＤ）リピータシステムであって、
複数の多重入力多重出力（ＭＩＭＯ）送信器を有する第１の多重入力多重出力局と、
ネットワークのプロトコルに従い、無線接続によって前記第１のＭＩＭＯ局と接続する第２のＭＩＭＯ局と、を備え、
前記第１のＭＩＭＯ局は、前記無線接続におけるダウンリンクにおいて、前記複数のＭＩＭＯ送信器から複数の変化する情報ストリームを送信することで、前記第２のＭＩＭＯ局へ送信を行い、前記複数の第２の局は、前記無線接続におけるアップリンクにおいて第１のＭＩＭＯ局へ送信を行い、
更に当該リピータシステムは、
前記無線接続を介して前記第１のＭＩＭＯ局に接続する第１の複数のアンテナと、
前記無線接続を介して前記第２のＭＩＭＯ局に接続する、第２の複数のアンテナと、
前記第１の複数のアンテナ、および、前記第２の複数のアンテナとそれぞれ接続すると共に、前記複数のＭＩＭＯ送信器からの前記複数の変化する情報ストリームをそれぞれ受信する複数のリピータモジュールと、を備えたことを特徴とするＴＤＤリピータシステム。
【請求項３９】
無線接続におけるダウンリンクにおいて通信を行う第１の局から送信される信号を、時分割二重（ＴＤＤ）プロトコルに基づいて中継するリピータであって、
建物の窓に取り付けるためのパッケージ内に配置されると共に、前記第１の局に前記無線接続を介して接続される第１のアンテナと、
前記無線接続に接続されると共に、前記建物内に配置される第２のアンテナと、
前記第１のアンテナおよび前記第２のアンテナに接続されるリピータと、を備え、
前記リピータモジュールは、前記第１のアンテナを用いて前記ダウンリンクにおいて前記信号の存在を検出する検出回路と、前記第２のアンテナを用いて前記第１の局から前記建物の前記内部に前記信号を再送信する送信回路と、を有し、
前記検出回路は更に、前記ネットワークにおける前記ダウンリンクおよび前記アップリンクのうち１つのスロットタイミングに前記リピータモジュールを同期させると共に、前記信号の存在の検出および同期に基づいて、中継を選択的に可能化または不可能化することを特徴とするリピータ。
【請求項４０】
前記ネットワークはワイドエリアネットワーク（ＷＡＮ）、無線ローカルエリアネットワーク（ＷＬＡＮ）、および無線メトロポリタンエリアネットワーク（ＷＭＡＮ）のいずれか１つであることを特徴とする請求項３９に記載のリピータ。
【請求項４１】
前記第１の局からの信号に関連するパラメータに基づいて、前記同期レベルを決定することを更に備えた請求項８に記載の方法。
【請求項４２】
無線接続におけるアップリンクにおいて第１の局へ送信を行う第２の局に対し、前記無線接続におけるダウンリンクにおいて前記第２の局へ送信を行う前記第１の局から、送信される信号を、時分割二重（ＴＤＤ）プロトコルに基づいて中継する非周波数変換型のリピータであって、
前記無線接続を介して前記第１の局と接続する第１のアンテナと、
前記無線接続を介して前記第２の局と接続する、第２のアンテナと、
前記第１のアンテナ、および、前記第２のアンテナ、と接続するリピータモジュールと、を備え、
前記リピータモジュールは、
同期期間において、前記アップリンクと前記ダウンリンクのうち１つまたは複数において前記信号の存在を検出するための検出回路と、
前記アップリンクにおいて前記信号を検出した場合、前記信号を、前記第２の局から前記第１の局へ、前記第１の局に向けられた第１のアンテナを用いて再送信し、また、前記ダウンリンクにおいて前記信号を検出した場合、前記信号を、前記第１の局から前記第２の局へ、前記第２の局に向けられた前記第２のアンテナを用いて再送信するための送信回路と、を有することを特徴とするリピータ。
【請求項４３】
前記検出回路は、アップリンク期間およびダウンリンク期間のうち１つまたは複数の開始を検出するように構成されていることを特徴とする請求項４２に記載のリピータ。
【請求項４４】
前記検出回路はアップリンク期間およびダウンリンク期間に関する属性を検出するように構成されていることを特徴とする請求項４２に記載のリピータ。
【請求項４５】
前記アップリンク期間または前記ダウンリンク期間に関する前記属性は、前記アップリンク期間および前記ダウンリンク期間の間の間隔のうち１つまたは複数を有していることを特徴とする請求項４４に記載のリピータ。
【請求項４６】
前記検出回路は、前記アップリンク期間または前記ダウンリンク期間に関する前記属性を、対応する検出器およびパワー検出器の出力の増大を検出することによって、検出するように構成されていることを特徴とする請求項４４に記載のリピータ。
【請求項４７】
前記検出回路は、アップリンク期間およびダウンリンク期間のタイミングを、前記アップリンクまたは前記ダウンリンクのうち１つについての特徴的な信号特性を検出することで、検出するように構成されていることを特徴とする請求項４２に記載のリピータ。
【請求項４８】
前記検出回路は、前記第１の局からの関連する信号の出力の増大を検出するように構成されていることを特徴とする請求項４２に記載のリピータ。
【請求項４９】
アップリンクにおいて第１の局へ送信を行う第２の局に対し、ダウンリンクにおいて前記第２の局へ送信を行う前記第１の局から、送信される信号を、時分割二重（ＴＤＤ）プロトコルに基づいて中継する方法であって、
前記アップリンクと前記ダウンリンクのうち１つまたは複数に対応する期間において信号を検出すること、
前記アップリンクにおいて前記信号を検出した場合、前記信号を、前記第２の局から前記第１の局へ、前記第１の局に向けられた第１のアンテナを用いて再送信すること、および
前記ダウンリンクにおいて前記信号を検出した場合、前記信号を、前記第１の局から前記第２の局へ、前記第２の局に向けられた第２のアンテナを用いて再送信することを含む方法。
【請求項５０】
前記検出することは、アップリンク期間とダウンリンク期間の間の間隔のうち１つまたは複数を検出することを含む請求項４９に記載の方法。
【請求項５１】
検出することは、アップリンク期間およびダウンリンク期間のうち１つまたは複数の開始を検出することを含む請求項４９に記載の方法。
【請求項５２】
前記検出することは、前記第１の局から送信された信号に起因して対応する検出器の出力が増大することを検出することを含む請求項４９に記載の方法。
【請求項５３】
送信された信号を中継する時分割二重（ＴＤＤ）リピータシステムであって、
複数の多重入力多重出力（ＭＩＭＯ）送信器を有する第１の多重入力多重出力局と、
ネットワークのプロトコルに従い、無線接続によって前記第１のＭＩＭＯ局と接続することを含む第２のＭＩＭＯ局と、を備え、
前記第１のＭＩＭＯ局は、前記無線接続におけるダウンリンクにおいて、前記複数のＭＩＭＯ送信器から複数の第１の情報ストリームを送信することで、前記第２のＭＩＭＯ局へ送信を行い、前記複数の第２の局は、前記無線接続におけるアップリンクにおいて第１のＭＩＭＯ局へ送信を行い、
更に当該リピータシステムは、
前記無線接続を介して前記第１のＭＩＭＯ局に接続する第１の複数のアンテナと、
前記無線接続を介して前記第２のＭＩＭＯ局に接続する、第２の複数のアンテナと、
前記第１の複数のアンテナ、および、前記第２の複数のアンテナとそれぞれ接続する複数のリピータモジュールと、を備え、
前記第１の複数のアンテナと前記第２の複数のアンテナとはそれぞれ極性および物理的距離のうち１つによって分離され、それによって、前記第１のＭＩＭＯ局における前記複数のＭＩＭＯ送信器によって送信され前記複数のリピータモジュールによって受信される情報ストリームの組み合わせの相対比率が変更するようにすることを特徴とするＴＤＤリピータシステム。
【請求項５４】
送信された信号の存在を特定し、前記信号におけるアップリンクおよびダウンリンクのタイミング期間との同期を維持する時分割二重（ＴＤＤ）リピータシステムであって、
第１の局と、
ネットワークプロトコルに従い、無線接続によって前記第１の局と接続する第２の局と、を備え、
前記第１の局は、前記無線接続におけるダウンリンクにおいて前記第２の局へ送信を行い、前記第２の局は、前記無線接続におけるアップリンクにおいて第１の局へ送信を行い、
更に当該リピータシステムは、
前記無線接続を介して前記第１の局に接続する第１のアンテナと、
前記無線接続を介して前記第２の局に接続する、第２のアンテナと、
前記第１のアンテナ、および、前記第２のアンテナと接続するリピータモジュールと、を備え、
前記リピータモジュールは、前記信号を、前記第２の局から前記第１の局へ、前記第１のアンテナを用いて再送信するための、および、前記信号を、前記第１の局から前記第２の局へ、前記第２のアンテナを用いて再送信するための送信部を有し、
前記第１のアンテナ、前記第２のアンテナのうち１つまたは複数についての形態因子は、送信された前記信号を中継することを容易にするようになっていることを特徴とするＴＤＤリピータシステム。
【国際調査報告】
2008503907.tif 000030